(57)【要約】  ワイヤレス通信のための方法、システム、およびデバイスが説明される。本明細書で説明されるようなワイヤレス通信システムは、レイテンシ、信頼性、またはスループットレートもしくはスループット基準の異なる、いくつかのサービスタイプをサポートするように構成され得る。1つのそのようなサービスタイプは、高信頼性で低レイテンシの通信(HRLLC)と呼ばれ得る。LTEなどのレガシーサービスタイプと共存しそれを補足するものとして、HRLLC性能を改善するための改良が説明される。これらは、たとえば、HRLLCをサポートするための、ダウンリンクおよびアップリンク制御の改良、チャネル状態情報(CSI)フィードバックの改良、物理アップリンク共有チャネル(PUSCH)の改良、およびUL電力制御の改良を含む。
2020510335.tif 000002
【特許請求の範囲】
【請求項１】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための方法であって、
前記第1のワイヤレスサービスのためにユーザ機器(UE)へ割り当てるためのリソースを特定するステップであって、前記第1のワイヤレスサービスおよび前記第2のワイヤレスサービスが、同じ時間長の送信時間間隔(TTI)を有する、ステップと、
前記TTIのうちの1つの間に、前記第1のワイヤレスサービスのための前記リソースを前記UEに割り当てる制御メッセージを送信するステップとを備える、方法。
【請求項２】
前記第2のワイヤレスサービスが、前記第2の目標復号エラーレートと前記第2の目標レイテンシ値とを有する、請求項1に記載の方法。
【請求項３】
前記第1のワイヤレスサービスのために前記UEを構成する無線リソース制御(RRC)シグナリングを前記UEに送信するステップをさらに備え、前記制御メッセージが、前記第1のワイヤレスサービスのために前記UEを構成したことに少なくとも一部基づいて送信される、請求項1に記載の方法。
【請求項４】
前記制御メッセージが、第1の無線ネットワーク一時識別子(RNTI)、第1のダウンリンク制御情報(DCI)フォーマット、第1のDCI指示、制御復号候補の第1のセット、第1の準静的な構成、または、前記割り当てられたリソースが前記第1のワイヤレスサービスと関連付けられることを示すこれらの任意の組合せのうちの少なくとも1つを備える、請求項1に記載の方法。
【請求項５】
前記第2のワイヤレスサービスのために前記UEへ割り当てるための第2のリソースを特定するステップと、
前記TTIのうちの1つの間に、前記第2のワイヤレスサービスのための前記第2のリソースを前記UEに割り当てる第2の制御メッセージを送信するステップとをさらに備え、
前記第2の制御メッセージが、第2のRNTI、第2のDCIフォーマット、第2のDCI指示、制御復号候補の第2のセット、第2の準静的な構成、または、前記割り当てられた第2のリソースが前記第2のワイヤレスサービスと関連付けられることを示すこれらの任意の組合せのうちの少なくとも1つを備える、請求項4に記載の方法。
【請求項６】
前記第1のワイヤレスサービスのための復号候補の第1のセットを使用して前記第1のワイヤレスサービスと関連付けられるダウンリンク制御情報(DCI)を送信するステップをさらに備える、請求項1に記載の方法。
【請求項７】
復号候補の前記第1のセットのためのアグリゲーションレベルの数字が、前記第2のワイヤレスサービスのための復号候補の第2のセットと関連付けられるアグリゲーションレベルの数字と異なる、請求項6に記載の方法。
【請求項８】
前記第1のワイヤレスサービスのための前記割り当てられたリソースを使用して前記第1のワイヤレスサービスのデータメッセージを前記UEから受信するステップと、
前記データメッセージに応答して、空間的なバンドル化、時間領域のバンドル化、または周波数領域のバンドル化のうちの少なくとも1つを使用してフィードバックメッセージを前記UEに送信するステップとをさらに備える、請求項1に記載の方法。
【請求項９】
少なくとも前記制御メッセージに応答し、空間的なバンドル化、時間領域のバンドル化、または周波数領域のバンドル化のうちの少なくとも1つを用いて送信される肯定応答(ACK)メッセージまたは否定応答(NACK)メッセージを備える、フィードバックメッセージを前記UEから受信するステップをさらに備える、請求項1に記載の方法。
【請求項１０】
前記フィードバックメッセージがさらに、前記ACKメッセージまたはNACKメッセージと組み合わされるスケジューリング要求を備える、請求項9に記載の方法。
【請求項１１】
前記フィードバックメッセージがチャネル状態情報(CSI)フィードバックを含まない、請求項9に記載の方法。
【請求項１２】
前記フィードバックメッセージが、チャネル品質インジケータ(CQI)のないチャネル状態情報(CSI)フィードバックを含む、請求項9に記載の方法。
【請求項１３】
前記第1のワイヤレスサービスと関連付けられるチャネル状態情報(CSI)フィードバックの第1のセットを前記UEから受信するステップであって、CSIフィードバックの前記第1のセットが前記フィードバックメッセージに含まれる、ステップと、
前記第2のワイヤレスサービスと関連付けられるCSIフィードバックの第2のセットを前記UEから受信するステップであって、CSIフィードバックの前記第2のセットが、前記第2のワイヤレスサービスと関連付けられる第2のフィードバックメッセージに含まれ、前記第2のフィードバックメッセージが、第2のACKメッセージまたは第2のNACKメッセージを備える、ステップとをさらに備える、請求項9に記載の方法。
【請求項１４】
CSIフィードバックの前記第1のセットおよびCSIフィードバックの前記第2のセットは、CSIフィードバックの前記第1のセットおよびCSIフィードバックの前記第2のセットの各々に含まれるチャネル品質インジケータ(CQI)情報の量が異なる、請求項13に記載の方法。
【請求項１５】
CSIフィードバックの前記第1のセットが、干渉の仮定の第1のセットと関連付けられ、CSIフィードバックの前記第2のセットが、干渉の仮定の第2のセットと関連付けられる、請求項13に記載の方法。
【請求項１６】
前記第1のワイヤレスサービスと関連付けられる物理アップリンク共有チャネル(PUSCH)メッセージとアップリンク制御情報(UCI)を抱き合わせにするために使用されるべきオフセットの第1のセットの第1の指示を前記UEに送信するステップと、
前記第2のワイヤレスサービスと関連付けられる第2のPUSCHメッセージとUCIを抱き合わせにするために使用されるべきオフセットの第2のセットの第2の指示を前記UEに送信するステップとをさらに備える、請求項1に記載の方法。
【請求項１７】
前記第1の指示を送信するステップおよび前記第2の指示を送信するステップが、
ダウンリンク制御情報(DCI)と無線リソース制御(RRC)シグナリングのいずれかを介して、前記第1の指示を送信するステップおよび前記第2の指示を送信するステップを備える、請求項16に記載の方法。
【請求項１８】
オフセットの前記第1のセットに従って、前記第1のワイヤレスサービスと関連付けられ、かつ前記PUSCHメッセージと抱き合わせにされるUCIを前記UEから受信するステップをさらに備える、請求項16に記載の方法。
【請求項１９】
UE固有の電力制御パラメータの第1のセットを前記UEに送信するステップであって、電力制御パラメータの前記第1のセットが前記第1のワイヤレスサービスと関連付けられる、ステップと、
UE固有の電力制御パラメータの第2のセットを前記UEに送信するステップであって、電力制御パラメータの前記第2のセットが前記第2のワイヤレスサービスと関連付けられる、ステップとをさらに備える、請求項1に記載の方法。
【請求項２０】
前記リソースを特定ステップが、前記第1の目標復号エラーレートに少なくとも一部基づいて前記リソースを選択するステップを備える、請求項1に記載の方法。
【請求項２１】
前記TTIが1msの時間長を有する、請求項1に記載の方法。
【請求項２２】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための方法であって、
ユーザ機器(UE)において第1の送信時間間隔(TTI)の間に、基地局から制御メッセージを受信するステップであって、前記第1のワイヤレスサービスおよび前記第2のワイヤレスサービスが、同じ時間長のTTIを有する、ステップと、
前記制御メッセージに少なくとも一部基づいて、前記第1のワイヤレスサービスのために割り当てられるリソースを決定するステップと、
前記第1のワイヤレスサービスのために割り当てられる前記リソースを使用して、前記第1のTTIの間にデータを受信し、または第2のTTIの間にデータを送信するステップとを備える、方法。
【請求項２３】
前記第2のワイヤレスサービスが、前記第2の目標復号エラーレートと前記第2の目標レイテンシ値とを有する、請求項22に記載の方法。
【請求項２４】
前記第1のワイヤレスサービスのためのリソース割当てを監視するための構成を用いて前記UEを構成する無線リソース制御(RRC)シグナリングを受信するステップをさらに備え、前記制御メッセージが前記RRCシグナリングを受信したことに少なくとも一部基づいて受信される、請求項22に記載の方法。
【請求項２５】
前記第2のワイヤレスサービスのための第2のリソース割当てを監視するための第2の構成を用いて前記UEを構成するRRCシグナリングを受信するステップをさらに備える、請求項24に記載の方法。
【請求項２６】
前記第2のワイヤレスサービスが、前記第2の目標復号エラーレートと、前記第1の目標レイテンシ値より低い第3の目標レイテンシ値とを有する、請求項25に記載の方法。
【請求項２７】
前記UEの前記構成が、前記UEのためのタイミングアドバンスまたはトランスポートブロックサイズ(TBS)制限に少なくとも一部基づく、請求項24に記載の方法。
【請求項２８】
前記第1のTTIがロングタームエボリューション(LTE)サブフレームを備える、請求項22に記載の方法。
【請求項２９】
前記UEにおいて第3のTTIの間に、前記基地局から第2の制御メッセージを受信するステップと、
前記第2の制御メッセージに少なくとも一部基づいて、前記第2のワイヤレスサービスのために割り当てられる第2のリソースを決定するステップと、
前記第2のワイヤレスサービスのために割り当てられる前記第2のリソースを使用して、前記第3のTTIの間にデータを受信し、または第4のTTIの間にデータを送信するステップとをさらに備える、請求項22に記載の方法。
【請求項３０】
少なくとも前記制御メッセージに応答して、かつ前記第1のTTIの間に前記第1のワイヤレスサービスのためのデータの受信に成功したことに少なくとも一部基づいて、フィードバックメッセージを送信するステップをさらに備える、請求項22に記載の方法。
【請求項３１】
前記フィードバックメッセージがチャネル状態情報(CSI)フィードバックを含まない、請求項30に記載の方法。
【請求項３２】
前記フィードバックメッセージが、チャネル品質インジケータ(CQI)のないチャネル状態情報(CSI)フィードバックを含む、請求項30に記載の方法。
【請求項３３】
前記第1のワイヤレスサービスと関連付けられるチャネル状態情報(CSI)フィードバックの第1のセットを送信するステップと、
前記第2のワイヤレスサービスと関連付けられるCSIフィードバックの第2のセットを送信するステップとをさらに備える、請求項30に記載の方法。
【請求項３４】
CSIフィードバックの前記第1のセットおよびCSIフィードバックの前記第2のセットは、CSIフィードバックの前記第1のセットおよびCSIフィードバックの前記第2のセットの各々に含まれるチャネル品質インジケータ(CQI)情報の量が異なる、請求項33に記載の方法。
【請求項３５】
前記フィードバックメッセージが、空間的なバンドル化、時間領域のバンドル化、または周波数領域のバンドル化のうちの少なくとも1つを使用して送信される、請求項30に記載の方法。
【請求項３６】
前記フィードバックメッセージを送信するステップが、
前記第1のTTIの後の所定の期間内に肯定応答(ACK)メッセージまたは否定応答(NACK)のうちの少なくとも1つを送信するステップを備える、請求項30に記載の方法。
【請求項３７】
前記所定の期間が少なくとも3つのTTIを備える、請求項36に記載の方法。
【請求項３８】
前記制御メッセージが、無線ネットワーク一時識別子(RNTI)、ダウンリンク制御情報(DCI)フォーマット、DCI指示、制御候補のセット、準静的な構成、または、前記割り当てられたリソースが前記第1のワイヤレスサービスと関連付けられることを示すこれらの任意の組合せのうちの少なくとも1つを備える、請求項22に記載の方法。
【請求項３９】
前記UEにおいて第2のTTIの間に、前記基地局から第2の制御メッセージを受信するステップをさらに備え、前記第2の制御メッセージが、第2のRNTI、第2のDCIフォーマット、第2のDCI指示、制御候補の第2のセット、第2の準静的な構成、または、前記割り当てられたリソースが前記第2のワイヤレスサービスと関連付けられることを示すこれらの任意の組合せのうちの少なくとも1つを備える、請求項38に記載の方法。
【請求項４０】
前記制御メッセージに少なくとも一部基づいて、UE固有の探索空間内の復号候補の第1のセットを決定するステップと、
復号候補の前記第1のセットを使用してダウンリンク制御情報(DCI)を前記基地局から受信するステップとをさらに備え、前記第1のワイヤレスサービスのために割り当てられる前記リソースを決定するステップが前記DCIに少なくとも一部基づく、請求項22に記載の方法。
【請求項４１】
物理アップリンク共有チャネル(PUSCH)メッセージとアップリンク制御情報(UCI)を抱き合わせにするために使用されるべきオフセットの第1のセットの第1の指示を受信するステップをさらに備え、前記PUSCHメッセージが前記第1のワイヤレスサービスと関連付けられる、請求項22に記載の方法。
【請求項４２】
第2のPUSCHメッセージと前記UCIを抱き合わせにするために使用されるべきオフセットの第2のセットの第2の指示を受信するステップをさらに備え、前記第2のPUSCHメッセージが前記第2のワイヤレスサービスと関連付けられる、請求項41に記載の方法。
【請求項４３】
オフセットの前記第1のセットに従って、前記第1のワイヤレスサービスと関連付けられ、かつ前記PUSCHメッセージと抱き合わせにされるUCIを送信するステップをさらに備える、請求項41に記載の方法。
【請求項４４】
第1の物理アップリンク共有チャネル(PUSCH)メッセージとアップリンク制御情報(UCI)を抱き合わせにするために使用されるべき第1のオフセットの第1の指示を受信するステップであって、前記第1のPUSCHメッセージが前記第1のワイヤレスサービスと関連付けられる、ステップと、
第2のPUSCHメッセージと前記UCIを抱き合わせにするために使用されるべき第2のオフセットの第2の指示を受信するステップであって、前記第2のPUSCHメッセージが前記第2のワイヤレスサービスと関連付けられる、ステップと、
前記第1のオフセットを使用するか前記第2のオフセットを使用するかを決定するステップと、
前記第1のオフセットを使用するという決定に従って、前記第1のオフセットに従って、前記第1のPUSCHメッセージと抱き合わせにされる前記第1のワイヤレスサービスと関連付けられるUCIを送信するステップとをさらに備える、請求項22に記載の方法。
【請求項４５】
前記第1のワイヤレスサービスのための前記アップリンク制御情報が、前記第2のワイヤレスサービスのためのアップリンク制御情報とは異なるパラメータのセットを備える、請求項41に記載の方法。
【請求項４６】
ダウンリンク制御情報(DCI)と無線リソース制御(RRC)シグナリングのいずれかを介して、前記第1の指示が受信される、請求項41に記載の方法。
【請求項４７】
UE固有の電力制御パラメータの第1のセットを受信するステップであって、電力制御パラメータの前記第1のセットが前記第1のワイヤレスサービスと関連付けられる、ステップと、
UE固有の電力制御パラメータの第2のセットを受信するステップであって、電力制御パラメータの前記第2のセットが前記第2のワイヤレスサービスと関連付けられる、ステップとをさらに備える、請求項22に記載の方法。
【請求項４８】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための装置であって、
前記第1のワイヤレスサービスのためにユーザ機器(UE)へ割り当てるためのリソースを特定するための手段であって、前記第1のワイヤレスサービスおよび前記第2のワイヤレスサービスが、同じ時間長の送信時間間隔(TTI)を有する、手段と、
前記TTIのうちの1つの間に、前記第1のワイヤレスサービスのための前記リソースを前記UEに割り当てる制御メッセージを送信するための手段とを備える、装置。
【請求項４９】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための装置であって、
ユーザ機器(UE)において第1の送信時間間隔(TTI)の間に、基地局から制御メッセージを受信するための手段であって、前記第1のワイヤレスサービスおよび前記第2のワイヤレスサービスが、同じ時間長のTTIを有する、手段と、
前記制御メッセージに少なくとも一部基づいて、前記第1のワイヤレスサービスのために割り当てられるリソースを決定するための手段と、
前記第1のワイヤレスサービスのために割り当てられる前記リソースを使用して、前記第1のTTIの間にデータを受信し、または第2のTTIの間にデータを送信するための手段とを備える、装置。
【請求項５０】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための装置であって、
プロセッサと、
前記プロセッサと電子的に通信しているメモリと、
前記メモリの中に記憶された命令とを備え、前記命令が、前記プロセッサによって実行されると、前記装置に、
前記第1のワイヤレスサービスのためにユーザ機器(UE)へ割り当てるためのリソースを特定させ、前記第1のワイヤレスサービスおよび前記第2のワイヤレスサービスが、同じ時間長の送信時間間隔(TTI)を有し、
前記TTIのうちの1つの間に、前記第1のワイヤレスサービスのための前記リソースを前記UEに割り当てる制御メッセージを送信させる
ように動作可能である、装置。
【請求項５１】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシ値を有する第2のワイヤレスサービスとをサポートする、システムにおけるワイヤレス通信のための装置であって、
プロセッサと、
前記プロセッサと電子的に通信しているメモリと、
前記メモリの中に記憶された命令とを備え、前記命令が、前記プロセッサによって実行されると、前記装置に、
ユーザ機器(UE)において第1の送信時間間隔(TTI)の間に、基地局から制御メッセージを受信させ、前記第1のワイヤレスサービスおよび前記第2のワイヤレスサービスが、同じ時間長のTTIを有し、
前記制御メッセージに少なくとも一部基づいて、前記第1のワイヤレスサービスのために割り当てられるリソースを決定させ、
前記第1のワイヤレスサービスのために割り当てられる前記リソースを使用して、前記第1のTTIの間にデータを受信させ、または第2のTTIの間にデータを送信させる
ように動作可能である、装置。
【請求項５２】
第1の目標復号エラーレートおよび第1の目標レイテンシ値を有する第1のワイヤレスサービスと、前記第1の目標復号エラーレートより高い第2の目標復号エラーレートまたは前記第1の目標レイテンシ値より高い第2の目標レイテンシを有する第2のワイヤレスサービスとをサポートする、システムにおけるワイヤレス通信のためのコードを記憶する非一時的コンピュータ可読記憶媒体であって、前記コードが、
前記第1のワイヤレスサービスのためにユーザ機器(UE)へ割り当てるためのリソースを特定し、前記第1のワイヤレスサービスおよび前記第2のワイヤレスサービスが、同じ時間長の送信時間間隔(TTI)を有し、
前記TTIのうちの1つの間に、前記第1のワイヤレスサービスのための前記リソースを前記UEに割り当てる制御メッセージを送信する
ように実行可能な命令を備える、非一時的コンピュータ可読記憶媒体。
【請求項５３】
第1の目標復号エラーレートおよび第1の目標レイテンシ値を有する第1のワイヤレスサービスと、前記第1の目標復号エラーレートより高い第2の目標復号エラーレートまたは第1の目標レイテンシ値より高い第2の目標レイテンシを有する第2のワイヤレスサービスとをサポートする、システムにおけるワイヤレス通信のためのコードを記憶する非一時的コンピュータ可読記憶媒体であって、前記コードが、
ユーザ機器(UE)において第1の送信時間間隔(TTI)の間に、基地局から制御メッセージを受信し、前記第1のワイヤレスサービスおよび前記第2のワイヤレスサービスが、同じ時間長のTTIを有し、
前記制御メッセージに少なくとも一部基づいて、前記第1のワイヤレスサービスのために割り当てられるリソースを決定し、
前記第1のワイヤレスサービスのために割り当てられる前記リソースを使用して、前記第1のTTIの間にデータを受信し、または第2のTTIの間にデータを送信する
ように実行可能な命令を備える、非一時的コンピュータ可読記憶媒体。
【発明の詳細な説明】
【技術分野】
【０００１】
相互参照
本特許出願は、各々が本出願の譲受人に譲渡される、2018年3月8日に出願された、「High Reliability Low Latency Configuration for Wireless Communications Systems」と題する、Chenらによる米国特許出願第15/915,430号、および2017年3月10日に出願された、「High Reliability Low Latency Configuration for Wireless Communications Systems」と題する、Chenらによる米国仮特許出願第62/470,187号の優先権を主張する。
【０００２】
本開示は、たとえばワイヤレス通信システムに関し、より具体的には、ワイヤレス通信システムのための高信頼性で低レイテンシの構成に関する。
【背景技術】
【０００３】
ワイヤレス多元接続技術は、異なるワイヤレスデバイスが都市、国家、地域、さらには地球規模で通信することを可能にする共通プロトコルを提供するために、様々な電気通信規格において採用されている。例示的な電気通信規格はLTE(Long Term Evolution)である。LTEは、スペクトル効率を改善し、コストを下げ、サービスを改善し、新たなスペクトルを利用し、他のオープン規格とより良く統合するように設計されている。LTEは、ダウンリンク(DL)上でOFDMAを、アップリンク(UL)上でシングルキャリア周波数分割多元接続(SC-FDMA)を、また多入力多出力(MIMO)アンテナ技術を使用し得る。
【０００４】
いくつかの例では、ワイヤレス多元接続通信システムは、ユーザ機器(UE)としても知られている複数の通信デバイスのための通信を各々が同時にサポートする、いくつかの基地局を含み得る。LTEまたはLTE-A(LTE-Advanced)ネットワークでは、1つまたは複数の基地局のセットがeNodeB(eNB)を定義し得る。他の例では(たとえば、次世代ニューラジオ(NR)または5Gネットワークでは)、ワイヤレス多元接続通信システムは、いくつかのアクセスノードコントローラ(ANC)と通信しているいくつかのスマートラジオヘッド(RH)を含むことがあり、ここで、ANCと通信している1つまたは複数のRHのセットが基地局(たとえば、eNBまたはgNB)を定義する。基地局は、(たとえば、基地局からUEへの送信のための)ダウンリンク(DL)チャネル、および(たとえば、UEから基地局への送信のための)アップリンク(UL)チャネル上で、UEのセットと通信し得る。
【発明の概要】
【発明が解決しようとする課題】
【０００５】
多元接続通信システム内の異なるUEは、具体的な適用例または展開に基づいて、互いに異なる規格を有し得る。したがって、システムは複数のワイヤレス通信サービスをサポートする必要があることがある。しかし、一部のUEの移動性の性質および移動体から発信され移動体で終端するデータの動的な特性により、システムは、所与のUEのためのワイヤレス通信サービスを動的に変更する必要があり得る。たとえば、信頼性およびリソース構成またはレガシーのフィードバック機構が、そのような需要を満たすためのシステムの能力を制限することがある。
【課題を解決するための手段】
【０００６】
一部のワイヤレス通信システムは、リソース構成、フィードバック機構などへの様々な改良を使用して、いくつかのワイヤレス通信サービスタイプをサポートするように動作可能であり得る。システムは、たとえば、高信頼性かつ低レイテンシの通信と関連付けられるサービスタイプをサポートし得る。そのようなシステムでは、これらの高信頼性で低レイテンシの通信(HRLLC:high reliability, low latency communication)は、レイテンシおよび信頼性の制約が異なる(たとえば、より緩い)他のサービスタイプと共存するように構成され得る。そのようなシステムに対する考慮は、HRLLCの構成、DL制御の改良、UL制御の改良、チャネル状態情報(CSI)の改良、物理アップリンク共有チャネル(PUSCH)の改良、UL電力制御の改良、およびバックホール処理を含み得る。高信頼性で低レイテンシの構成をサポートする、様々な方法、システム、および装置が本明細書で説明される。
【０００７】
第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートする、システムにおけるワイヤレス通信のための方法が説明される。方法は、第1のワイヤレスサービスのためにユーザ機器(UE)へ割り当てるためのリソースを特定するステップを含み得る。第1のワイヤレスサービスおよび第2のワイヤレスサービスは、同じ時間長の送信時間間隔(TTI)を有し得る。方法はまた、TTIのうちの1つの間に、第1のワイヤレスサービスのためのリソースをUEに割り当てる制御メッセージを送信するステップを含み得る。
【０００８】
第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートする、システムにおけるワイヤレス通信のための装置が説明される。装置は、第1のワイヤレスサービスのためにユーザ機器(UE)へ割り当てるためのリソースを特定するための手段を含むことがあり、第1のワイヤレスサービスおよび第2のワイヤレスサービスは、同じ時間長の送信時間間隔(TTI)を有する。装置はまた、TTIのうちの1つの間に、第1のワイヤレスサービスのためのリソースをUEに割り当てる制御メッセージを送信するための手段を含み得る。
【０００９】
第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシ値を有する第2のワイヤレスサービスとをサポートする、システムにおけるワイヤレス通信のための別の装置が説明される。装置は、プロセッサと、プロセッサと電子的に通信するメモリと、メモリに記憶された命令とを含み得る。命令は、第1のワイヤレスサービスのためにユーザ機器(UE)へ割り当てるためのリソースを装置に特定させ、第1のワイヤレスサービスおよび第2のワイヤレスサービスが、同じ時間長の送信時間間隔(TTI)を有し、TTIのうちの1つの間に、第1のワイヤレスサービスのためのリソースをUEに割り当てる制御メッセージを送信させるように、プロセッサによって実行可能であり得る。
【００１０】
第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートする、システムにおけるワイヤレス通信のための非一時的コンピュータ可読媒体が説明される。非一時的コンピュータ可読媒体は、第1のワイヤレスサービスのためにユーザ機器(UE)へ割り当てるためのリソースを装置に特定し、第1のワイヤレスサービスおよび第2のワイヤレスサービスが、同じ時間長の送信時間間隔(TTI)を有し、TTIのうちの1つの間に、第1のワイヤレスサービスのためのリソースをUEに割り当てる制御メッセージを送信するように、実行可能な命令を含み得る。
【００１１】
第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートする、システムにおけるワイヤレス通信の別の方法が説明される。方法は、ユーザ機器(UE)において第1の送信時間間隔(TTI)の間に、基地局から制御メッセージを受信するステップを含むことがあり、第1のワイヤレスサービスおよび第2のワイヤレスサービスは、同じ時間長のTTIを有する。方法はまた、制御メッセージに少なくとも一部基づいて第1のワイヤレスサービスのために割り当てられるリソースを決定するステップと、第1のワイヤレスサービスのために割り当てられるリソースを使用して、第1のTTIの間にデータを受信するステップ、または第2のTTIの間にデータを送信するステップとを含み得る。
【００１２】
第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートする、システムにおけるワイヤレス通信のための別の装置が説明される。装置は、ユーザ機器(UE)において第1の送信時間間隔(TTI)の間に、基地局から制御メッセージを受信するための手段を含むことがあり、第1のワイヤレスサービスおよび第2のワイヤレスサービスは、同じ時間長のTTIを有する。装置はまた、制御メッセージに少なくとも一部基づいて第1のワイヤレスサービスのために割り当てられるリソースを決定するための手段と、第1のワイヤレスサービスのために割り当てられるリソースを使用して、第1のTTIの間にデータを受信するための手段、または第2のTTIの間にデータを送信するための手段とを含み得る。
【００１３】
第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートする、システムにおけるワイヤレス通信のための別の装置が説明される。装置は、プロセッサと、プロセッサと電子的に通信するメモリと、メモリに記憶された命令とを含み得る。命令は、装置に、ユーザ機器(UE)において第1の送信時間間隔(TTI)の間に、基地局から制御メッセージを受信させ、制御メッセージに少なくとも一部基づいて第1のワイヤレスサービスのために割り当てられるリソースを決定させ、第1のワイヤレスサービスのために割り当てられるリソースを使用して、第1のTTIの間にデータを受信させ、または第2のTTIの間にデータを送信させるようにプロセッサによって実行可能であることがあり、第1のワイヤレスサービスおよび第2のワイヤレスサービスは、同じ時間長のTTIを有する。
【００１４】
第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートする、システムにおけるワイヤレス通信のための非一時的コンピュータ可読媒体が説明される。非一時的コンピュータ可読媒体は、ユーザ機器(UE)において第1の送信時間間隔(TTI)の間に、基地局から制御メッセージを受信し、制御メッセージに少なくとも一部基づいて第1のワイヤレスサービスのために割り当てられるリソースを決定し、第1のワイヤレスサービスのために割り当てられるリソースを使用して、第1のTTIの間にデータを受信し、または第2のTTIの間にデータを送信するように実行可能な命令を含むことがあり、第1のワイヤレスサービスおよび第2のワイヤレスサービスは、同じ時間長のTTIを有する。
【図面の簡単な説明】
【００１５】
【図１】本開示の態様による、高信頼性で低レイテンシの構成をサポートするワイヤレス通信のためのシステムの例を示す図である。
【図２】本開示の態様による、高信頼性で低レイテンシの構成をサポートするワイヤレスシステムの例を示す図である。
【図３】本開示の態様による、ワイヤレス通信システムのための高信頼性で低レイテンシの構成をサポートする例示的なアップリンクおよびダウンリンク送信時間間隔(TTI)を示す図である。
【図４】本開示の態様による、ワイヤレス通信システムのための高信頼性で低レイテンシの構成をサポートする制御チャネル構成の例を示す図である。
【図５】本開示の態様による、ワイヤレス通信システムのための高信頼性で低レイテンシの構成をサポートするリソース割振りの例を示す図である。
【図６】本開示の態様による、ワイヤレス通信システムのための高信頼性で低レイテンシの構成をサポートするリソース割振り方式の例を示す図である。
【図７】本開示の態様による、ワイヤレス通信システムのための高信頼性で低レイテンシの構成をサポートするリソース割振りの例を示す図である。
【図８】本開示の態様による、高信頼性で低レイテンシの構成をサポートするワイヤレスシステムの例を示す図である。
【図９】本開示の態様による、ワイヤレス通信システムのための高信頼性で低レイテンシの構成をサポートするプロセスフローの例を示す図である。
【図１０】本開示の態様による、ワイヤレス通信システムのための高信頼性で低レイテンシの構成をサポートするプロセスフローの例を示す図である。
【図１１】本開示の態様による、ワイヤレス通信システムのための高信頼性で低レイテンシの構成をサポートする1つまたは複数のデバイスのブロック図である。
【図１２】本開示の態様による、ワイヤレス通信システムのための高信頼性で低レイテンシの構成をサポートする1つまたは複数のデバイスのブロック図である。
【図１３】本開示の態様による、ワイヤレス通信システムのための高信頼性で低レイテンシの構成をサポートする1つまたは複数のデバイスのブロック図である。
【図１４】本開示の態様による、ワイヤレス通信システムのための高信頼性で低レイテンシの構成をサポートする基地局を含むシステムのブロック図である。
【図１５】本開示の態様による、ワイヤレス通信システムのための高信頼性で低レイテンシの構成をサポートする1つまたは複数のデバイスのブロック図である。
【図１６】本開示の態様による、ワイヤレス通信システムのための高信頼性で低レイテンシの構成をサポートする1つまたは複数のデバイスのブロック図である。
【図１７】本開示の態様による、ワイヤレス通信システムのための高信頼性で低レイテンシの構成をサポートする1つまたは複数のデバイスのブロック図である。
【図１８】本開示の態様による、ワイヤレス通信システムのための高信頼性で低レイテンシの構成をサポートするユーザ機器(UE)を含むシステムのブロック図である。
【図１９】本開示の態様による、ワイヤレス通信システムのための高信頼性で低レイテンシの構成のための方法を示す図である。
【図２０】本開示の態様による、ワイヤレス通信システムのための高信頼性で低レイテンシの構成のための方法を示す図である。
【図２１】本開示の態様による、ワイヤレス通信システムのための高信頼性で低レイテンシの構成のための方法を示す図である。
【図２２】本開示の態様による、ワイヤレス通信システムのための高信頼性で低レイテンシの構成のための方法を示す図である。
【発明を実施するための形態】
【００１６】
本明細書で説明されるようなワイヤレス通信システムは、レイテンシ、信頼性、またはスループットレートもしくはスループット基準の異なる、複数のサービスタイプをサポートするように構成され得る。1つのそのようなサービスタイプは、高信頼性で低レイテンシの通信(HRLLC)と本明細書で呼ばれ得る。ワイヤレス通信システムによってサポートされ得るレガシーサービスタイプまたは他のサービスタイプとの共存をサポートしながら、HRLLC性能を改善するために、説明される様々な技法が利用され得る。説明される技法は、HRLLCの改良、ダウンリンクおよびアップリンク制御の改良、チャネル状態情報(CSI)フィードバックの改良、物理アップリンク共有チャネル(PUSCH)の改良、およびUL電力制御の改良のために利用され得る。
【００１７】
例として、一部のLTEまたはNRの展開における基地局は、様々なレイテンシおよび信頼性の基準を満たすために、低減されたスケジューリングタイミングを使用して1つまたは複数のUEに送信し得る。基地局は、時間リソースおよび周波数リソースを含み得る送信リソースをUEに割り振り得る。いくつかの場合、低レイテンシサービスの信頼性は、たとえばハイブリッド自動再送要求(HARQ)フィードバック技法などに従って、受信に成功しなかった送信の再送信を実現し得るフィードバック機構を通じて強化され得る。本明細書で説明される様々な改良は、ワイヤレス通信システムの効率性および信頼性を高め得る。
【００１８】
上で紹介された本開示の態様が、以下でワイヤレス通信システムの文脈で説明される。様々なチャネル構成およびリソース割振り方式の例が説明される。本開示の態様は、高信頼性で低レイテンシの通信に関する装置図、システム図、およびフローチャートによってさらに示され、それらを参照して説明される。
【００１９】
図1は本開示の様々な態様によるワイヤレス通信システム100の例を示す。ワイヤレス通信システム100は、基地局105と、ユーザ機器(UE)115と、コアネットワーク130とを含む。システム100は、たとえば高信頼性で低レイテンシの通信を含む、複数のワイヤレス通信サービスを提供するように構成され得る。
【００２０】
コアネットワーク130は、ユーザ認証、アクセス許可、トラッキング、インターネットプロトコル(IP)接続、および他のアクセス機能、ルーティング機能、またはモビリティ機能を提供し得る。基地局105は、バックホールリンク132(たとえば、S1など)を通じてコアネットワーク130とインターフェースし、UE115との通信のための無線構成およびスケジューリングを実行し得るか、または基地局コントローラの制御下で動作し得る。様々な例では、基地局105は、有線通信リンクまたはワイヤレス通信リンクであり得るバックホールリンク134(たとえば、X1など)を通じて互いに、直接または間接的に(たとえば、コアネットワーク130を通じて)のいずれかで、通信することができる。
【００２１】
基地局105は、1つまたは複数の基地局アンテナを介してUE115とワイヤレスに通信し得る。基地局105のサイトの各々は、それぞれの地理的カバレッジエリア110に通信カバレッジを提供し得る。いくつかの例では、基地局105は、トランシーバ基地局、無線基地局、アクセスポイント、無線トランシーバ、NodeB、eNB(evolved NodeB)、Home NodeB、Home eNodeB、次世代nodeB(gNB)、または何らかの他の適切な用語で呼ばれることがある。基地局105の地理的カバレッジエリア110は、カバレッジエリアの一部分のみを構成するセクタに分割され得る。ワイヤレス通信システム100は、異なるタイプの基地局105(たとえば、マクロセル基地局および/またはスモールセル基地局)を含み得る。異なる技術のための重複する地理的カバレッジエリア110があり得る。基地局105は、1つまたは複数のセル上で複数のワイヤレス通信サービスをサポートし得る。基地局105は、たとえば、他のモバイルブロードバンド、ブロードキャスト、および/または他のサービスに加えて、高信頼性で低レイテンシの通信のために構成され得る。
【００２２】
開示される様々な例のうちのいくつかに適合し得る通信ネットワークは、階層化されたプロトコルスタックに従って動作するパケットベースネットワークであり得る。ユーザプレーンでは、ベアラまたはパケットデータコンバージェンスプロトコル(PDCP)レイヤにおける通信は、IPベースであってよい。無線リンク制御(RLC)レイヤは、論理チャネルを介して通信するために、パケットのセグメンテーションおよびリアセンブリを実行し得る。媒体アクセス制御(MAC)レイヤは、優先処理と、トランスポートチャネルへの論理チャネルの多重化とを実行し得る。
【００２３】
MACレイヤはまた、リンク効率を改善するために、ハイブリッド自動再送要求(HARQ)を使用してMACレイヤにおける再送信を行い得る。HARQは、チャネル品質に応じて、誤り訂正のオーバーヘッドが動的に適応されることを可能にする。HARQが使用されるとき、前方誤り訂正(FEC)技法を使用して誤りが訂正されることが可能である場合、再送信は要求されない。誤りが検出されるが訂正されない場合、再送信が要求される。したがって、HARQは、データがワイヤレス通信リンク125を介して正しく受信されることを保証する方法である。HARQは、誤り検出(たとえば、巡回冗長検査(CRC)を使用した)、FEC、および再送信(たとえば、自動再送要求(ARQ))の組合せを含むことがあり、劣悪な無線条件の中でMACレイヤにおけるスループットを改善することができる。Incremental Redundancy HARQでは、データの復号に成功する全体的な確率を改善するために、誤って受信されたデータがバッファ内に記憶され、後続の送信と組み合わされ得る。場合によっては、冗長ビットが送信の前に各メッセージに追加される。これは、劣悪な条件において有用であり得る。他の場合には、冗長ビットは、各送信に追加されず、情報を復号しようとする試みの失敗を示す否定応答(NACK)を元のメッセージの送信機が受信した後に再送信される。送信、応答、および再送信の連鎖は、HARQプロセスと呼ばれ得る。いくつかの場合、限られた数のHARQプロセスが所与の通信リンク125のために使用され得る。
【００２４】
制御プレーンでは、無線リソース制御(RRC)プロトコルレイヤが、ユーザプレーンデータのための無線ベアラをサポートする、UE115と基地局105またはコアネットワーク130との間のRRC接続の確立と構成と保守とを行い得る。物理(PHY)レイヤにおいて、トランスポートチャネルが物理チャネルにマッピングされ得る。様々な例において、異なるワイヤレス通信サービスが、RRCレイヤシグナリングまたはPHYレイヤシグナリングによって、構成または有効化され得る。たとえば、UE115はRRCシグナリングを使用するURLLCのために構成されることがあり、UE115はPHYレイヤ制御シグナリングを使用するURLLCのために時間-周波数リソースを割り当てられることがある。
【００２５】
UE115は、ワイヤレス通信システム100全体にわたって分散しており、各UE115は固定式または移動式であり得る。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の好適な用語も含むか、またはそのように当業者によって呼ばれることもある。UE115は、携帯電話、携帯情報端末(PDA)、ワイヤレスモデム、ワイヤレス通信デバイス、ハンドヘルドデバイス、タブレットコンピュータ、ラップトップコンピュータ、コードレス電話、ワイヤレスローカルループ(WLL)局などであり得る。UE115は、マクロeNB、スモールセルeNB、中継基地局などを含む様々なタイプの基地局105およびネットワーク機器と通信することが可能であり得る。
【００２６】
ワイヤレス通信システム100の中に示されている通信リンク125は、UE115から基地局105へのアップリンク(UL)送信、および/または基地局105からUE115へのダウンリンク(DL)送信を含み得る。ダウンリンク送信は、順方向リンク送信と呼ばれることもあり、アップリンク送信は、逆方向リンク送信と呼ばれることもある。各通信リンク125は、1つまたは複数のキャリアを含むことがあり、各キャリアは、上で説明された様々な無線技術に従って変調される複数のサブキャリア(たとえば、異なる周波数の波形信号)から構成される信号であり得る。各々の変調された信号は、異なるサブキャリア上で送信されることがあり、制御情報(たとえば、基準信号、制御チャネルなど)、オーバーヘッド情報、ユーザデータなどを搬送し得る。通信リンク125は、URLLCなどの様々なワイヤレス通信サービスを表し得る。
【００２７】
通信リンク125は、周波数分割複信(FDD)動作(たとえば、対スペクトルリソースを使用する)または時分割複信(TDD)動作(たとえば、不対スペクトルリソースを使用する)を使用して、双方向通信を送信し得る。FDDのためのフレーム構造(たとえば、フレーム構造(FS)タイプ1)およびTDDのためのフレーム構造(たとえば、FSタイプ2)が定義され得る。免許不要キャリアのためのフレーム構造(たとえば、FSタイプ3)も定義され得る。
【００２８】
いくつかの例では、基地局105および/またはUE115は、基地局105とUE115との間の通信品質と信頼性とを改善するために、アンテナダイバーシティ方式を利用するための複数のアンテナを含み得る。加えて、または代わりに、基地局105および/またはUE115は、同じまたは異なるコーディングされたデータを搬送する複数の空間レイヤを送信するためにマルチパス環境を活用することができる、多入力多出力(MIMO)技法を利用し得る。
【００２９】
ワイヤレス通信システム100は、複数のセルまたはキャリア上での動作、すなわち、キャリアアグリゲーション(CA)またはマルチキャリア動作と呼ばれることがある機能をサポートし得る。キャリアはまた、コンポーネントキャリア(CC)、レイヤ、チャネルなどとも呼ばれることがある。「キャリア」、「コンポーネントキャリア」、「セル」、および「チャネル」という用語は、本明細書では互換的に使用されることがある。UE115は、キャリアアグリゲーションのために、複数のダウンリンクCCおよび1つまたは複数のアップリンクCCで構成され得る。キャリアアグリゲーションは、FDDコンポーネントキャリアとTDDコンポーネントキャリアの両方とともに使用され得る。
【００３０】
ワイヤレス通信システム100のいくつかの例(たとえば、new radio (NR)システム、次世代LTEシステムなど)は、高信頼性で低レイテンシの通信をサポートし得る。たとえば、超高信頼性で低レイテンシの通信(URLLC)(たとえば、NRシステムのための)は、ある目標によって定義され得る。たとえば、URLLCは、1msの送信時間間隔(TTI)内で10^-5の信頼性を目標とし得る。この例では、信頼性は、ビットエラーレートまたは何らかの他の適切な尺度(たとえば、所与のビットが正しく復号され得る確率が1-10^-5となるような)を指し得る。そのような通信は、超高信頼性で低レイテンシの通信チャネル(URLCC)と関連付けられ得る。一部のワイヤレスシステム(たとえば、LTEシステム)では、URLCCは、1msのTTIと短縮TTI(sTTI)の両方に対して可能にされ得る。すなわち、一部のシステム(たとえば、レガシーシステムと呼ばれ得る)は、少なくとも4msのHARQ/スケジューリングタイミングを伴う1msベースのTTIのみをサポートし得る。そのようなスケジューリングタイミングは、本開示の態様では「n+4」タイミングと呼ばれ得る。しかしながら、一部のそのようなシステムは、修正された1ms TTI(たとえば、低減されたタイミングを伴う)とともにsTTIを導入する(たとえば、レイテンシを低減する)ように修正され得る。たとえば、一部のそのようなシステムは、3msのHARQ/スケジューリングタイミング(たとえば、本明細書で「n+3」タイミングと呼ばれ得る)を伴う1ms TTI、FDDのための(たとえば、FSタイプ1のための)2シンボルsTTI、FDDおよびTDDのための(たとえば、FSタイプ2のための)1スロットsTTI、およびFSタイプ3のためのsTTIなしの他の時間長のTTIをサポートし得る。
【００３１】
本開示の態様では、1msベースのTTIはさらに改良され得る(たとえば、高信頼性で低レイテンシの通信(HRLLC)をサポートするように)。いくつかの場合、HRLLCはURLLCの例であり得る。たとえば、HRLLCは、URLLCと比較して緩いレイテンシおよび/または信頼性の基準を有し得るが、これらの両方が、他の(たとえば、従来の)通信と比較して改善されたレイテンシおよび信頼性を提供し得る。いくつかの例では、この改良は、基地局105が性能の尺度の目標を定める際にある程度の柔軟性を持つことを可能にし得る。すなわち、基地局105は、ある遅延の制約のもとで所望の信頼性を管理し得る。本開示の態様は、接続モードまたはRRC接続モードで動作するUE115(たとえば、RRC_CONNECTED UE115)を参照して説明されるが、アイドルモードで動作するUE115またはRRCアイドルモードUE115(たとえば、RRC_IDLE UE115)も考慮され、当業者はRRC_CONNECTED UE115とRRC_IDLE UE115の両方への適用可能性を認識するであろう。本明細書で説明される技法は、HRLLCの構成、DL制御の改良、UL制御の改良、チャネル状態情報(CSI)の改良、物理アップリンク共有チャネル(PUSCH)の改良、UL電力制御の改良、およびバックホール処理を考慮する。
【００３２】
図2は、本開示の様々な態様による、高信頼性で低レイテンシの構成をサポートするワイヤレスシステム200の例を示す。ワイヤレス通信システム200は、基地局105-aおよびUE115-aを含み、それらは図1を参照して上で説明されたような対応するデバイスの態様の例であってよい。図2の例では、ワイヤレス通信システム200は、LTE、5G、またはNR RATなどの無線アクセス技術(RAT)に従って動作し得るが、本明細書で説明される技法は、任意のRATに、および2つ以上の異なるRATを同時に使用し得るシステムに適用され得る。
【００３３】
基地局105-aは、アップリンクキャリア205およびダウンリンクキャリア215を介して、UE115-aと通信し得る。いくつかの例では、基地局105-aは、アップリンクキャリア205およびダウンリンクキャリア215を介するUEとの通信に対してリソースを割り振り得る。たとえば、基地局105-aは、UE115-aからのアップリンク送信に対してアップリンクキャリア205の中のアップリンクサブフレーム210を割り振ることがあり、1つまたは複数のアップリンクサブフレーム210は、1msのレガシーLTE TTIに対応することがある。この例では、アップリンクサブフレーム210は、第1のアップリンクサブフレーム210-aと、第2のアップリンクサブフレーム210-bと、第3のアップリンクサブフレーム210-cとを含み得る。アップリンクサブフレーム210の各々は、2つのスロットを含むことがあり、各スロットは、ノーマルサイクリックプレフィックスのための7つのOFDMシンボルを有し得る。この例では、第1のスロット(スロット0)225および第2のスロット(スロット1)230は、第1のサブフレーム210-aに含まれ得る。短縮TTIがスロットに含まれることがあり、またはスロットと同時であることがある。sTTIは、sTTI-0 235、sTTI-1 240、...、sTTI-n 245のようないくつかのsTTIを含み得る。
【００３４】
上で示されたように、低レイテンシワイヤレス通信システム200のアップリンクキャリア205において、異なるTTIの長さが、アップリンクキャリア205および/またはダウンリンクキャリア215を介した送信のために使用され得る。たとえば、2シンボルsTTIおよび1スロットsTTIの時間長が、物理アップリンク制御チャネル(PUCCH)送信および物理アップリンク共有チャネル(PUSCH)送信(または、短縮PUCCH(sPUCCH)送信および短縮PUSCH(sPUSCH)送信)のためにサポートされ得る。本開示の態様は1msベースのTTIを参照して説明されるが、それらの態様はそのような可変長TTI(たとえば、sTTI)を使用する低レイテンシ通信にも適用され得る。
【００３５】
いくつかの例では、UE115-aは、レガシーの1ms TTIベースの通信を依然として維持しながら、HRLLCを用いて準静的に構成され得る(たとえば、かつ/または動的に惹起され得る)。例として、UE115に対する1msベースのTTIのあり得る組合せには、n+4タイミングを伴う1ms TTI、n+4タイミングおよびHRLLCなしのn+3タイミングを伴う1ms TTI、n+4タイミングおよびHRLLCありのn+3タイミングを伴う1ms TTI、ならびに、n+4タイミングおよびHRLLCありおよびなしのn+3タイミングを伴う1ms TTIがあり得る。そのようなタイミングは、上で論じられたようにスケジューリングタイミングと呼ばれることがあり、ダウンリンク送信(たとえば、PDCCH、PUSCHなど)と応答するアップリンク送信(たとえば、PUCCH、PUSCHなど)との間のTTIまたはsTTIの数に関することがある。または、タイミングは、アップリンク送信および応答するダウンリンク送信(たとえば、PDSCH、再送信など)に関し得る。
【００３６】
いくつかの例では、通常の通信(たとえば、非HRLLC、MBB、レガシーLTEなど)と比較した際のHRLLCの区別が、明示的に示され得る。たとえば、異なる無線ネットワーク一時識別子(RNTI)が、HRLLC、異なるダウンリンク制御情報(DCI)フォーマット、異なる制御復号候補(探索候補とも呼ばれ得る)、DCIにおける何らかの指示(たとえば、暗黙的または明示的な)、準静的な構成(たとえば、RRCシグナリングを介した)などのために使用され得る。上で示されたように、いくつかの場合には、TTI構成およびHARQタイミングは、低レイテンシのタイミング間隔(たとえば、1ms)内での初期送信および初期送信の再送信を実現するように構成され得る。したがって、複数の送信機会が1つのTTIの中に存在し得る。
【００３７】
図3は、本開示の様々な態様による、アップリンクTTIおよびダウンリンクTTI300の例を示す。アップリンクTTIおよびダウンリンクTTI300は、図1および図2を参照して上で論じられたものなどの、UE115と基地局105との間の通信のために使用され得る。この例では、基地局105からUE115へのダウンリンク送信のために、ダウンリンクTTI305が使用され得る。同様に、アップリンクTTI310は、UE115から基地局105へのアップリンク送信のために使用され得る。アップリンクTTIおよびダウンリンクTTI300は、上で説明されたように、n+4タイミングおよびn+3タイミングの態様を示す。示されるように、アップリンクTTIおよびダウンリンクTTI300は各々、2つのスロットを含む。
【００３８】
ある例として、第1のダウンリンクTTI320はUE115に送信されることがあり、UE115は、送信を復調し復号することを試み、アップリンクTTI330において送信され得るACK/NACK指示325を生成することがあり、アップリンクTTI330は、第1のダウンリンクTTI320からn+3 TTI後に開始する、またはそれより後に開始する最初のアップリンクTTIであり得る。ACK/NACK指示がNACKである場合、基地局はUEへの再スケジューリングおよび再送信335を編成することがあり、これは、ACK/NACK指示325からn+3 TTI後に開始する、またはそれより後に開始する最初のダウンリンクTTIにおいて送信されることがあり、これはこの例ではダウンリンクTTI-6 355である。同様に、ダウンリンクTTI-1に対するACK/NACKフィードバックがアップリンクTTI-4 345において送信されることがあり、ダウンリンクTTI-2に対するACK/NACKフィードバックがアップリンクTTI-5において送信されることなどがある。
【００３９】
第2の例として、第1のダウンリンクTTI320はUE115に送信されることがあり、UE115は、送信を復調し復号することを試み、アップリンクTTI-4 345において送信され得るACK/NACK指示340を生成することがあり、アップリンクTTI-4 345は、第1のダウンリンクTTI320からn+4 TTI後に開始する、またはそれより後に開始する最初のアップリンクTTIであり得る。ACK/NACK指示がNACKである場合、基地局はUEへの再スケジューリングおよび再送信350を編成することがあり、これは、ACK/NACK指示340からn+4 TTI後に開始する、またはそれより後に開始する最初のダウンリンクTTIにおいて送信されることがあり、これはこの例ではダウンリンクTTI-8 360である。同様に、ダウンリンクTTI-1に対するACK/NACKフィードバックがアップリンクTTI-5において送信されることがあり、ダウンリンクTTI-2に対するACK/NACKフィードバックがアップリンクTTI-6において送信されることなどがある。
【００４０】
示されるように、全体のHARQフィードバックタイミングは、n+4タイミングに対して相対的なn+3タイミングを使用すると低減され得る。いくつかの提案されているHRLLC基準などの、高信頼性の基準を伴う低レイテンシサービスでは、n+4タイミングを使用するHARQフィードバックは、目標とする信頼性およびレイテンシを実現しないことがある。したがって、HRLLCの構成は、n+3タイミングのみに適用可能であり得る。しかしながら、構成の適用可能性は、n+3通信に対する最大タイミングアドバンス(TA)315および/またはトランスポートブロックサイズ(TBS)の制約に依存し得る。TA315は、UE115がアップリンクフレームの送信を開始してから対応するダウンリンクフレームの到達までの時間の量を指し得る。いくつかの例では、TA315はn+3タイミングとn+4タイミングとの間で変化し得る。したがって、n+3タイミングに対する最大TA315がn+4タイミングに対するものより小さい(たとえば、はるかに小さい)場合、追加で、または代替として、HRLLC構成はn+4タイミングに適用可能であり得る。したがって、本開示の態様はn+3タイミングを参照して説明されるが、これらの態様は場合によってはn+4タイミングに適用され得る。
【００４１】
図4は、本開示の様々な態様による、例示的な制御チャネル構成400を示す。制御構成400は、様々なアグリゲーションレベルを伴う改良された物理ダウンリンク制御チャネル(PDCCH)動作をサポートし得る。たとえば、ブラインド復号の最大の数を同じ数または同様の数に維持しながら、HRLLCが(たとえば、準静的に)構成されるときのDL制御チャネルに対するより高いアグリゲーションレベルが導入され得る。いくつかの場合、ブラインド復号の同じ最大の数は、UE固有探索空間(UESS)に対してのみ行われ得る。例として、一部のシステム(たとえば、レガシーシステム)は、物理ダウンリンク制御チャネル(PDCCH)と改良PDCCH(ePDCCH)の両方に対して、1つ、2つ、4つ、または8つの制御チャネル要素(CCE)というアグリゲーションレベルをサポートし得る。本開示の態様によれば、これらのチャネルの一方または両方に対するサポートされるアグリゲーションレベルは、より高いアグリゲーションレベル(たとえば、16、32など)を含むように拡張され得る。より高いアグリゲーションレベルは、たとえばHRLLCに対して重要であり得る、より信頼性のある制御チャネル情報を実現し得る。
【００４２】
制御チャネル構成400(たとえば、UESSの例であり得る)はCCE405へと分割されることがあり、CCEの各々は複数のREGにわたり得る。図4に示されるように、制御チャネル構成400は、48個のCCE405(すなわち、それぞれの期間410、415の中に24個)を含む。いくつかの例では、期間の数は、物理制御フォーマットインジケータチャネル(PCFICH)によって動的に示され得る。いくつかの場合、期間410は第1のOFDMシンボル期間を表すことがあり、期間415は第2のOFDMシンボル期間を表すことがある。これらの図示は例示を目的としたものにすぎず、アグリゲーション構成400は任意の適切な数のCCE405を含み得ることを理解されたい。
【００４３】
上で説明されたように、レガシーシステムは、(たとえば、PDCCHまたはePDCCHのために)それぞれ探索候補420、425、430、または435を形成するように集約されている、1つ、2つ、4つ、または8つのCCE405をサポートし得る。本開示の態様では、PDCCHおよび/またはePDCCHは、より高いアグリゲーションレベルをサポートするように構成され得る。たとえば、アグリゲーション構成400は、16個のCCE405を含む1つまたは複数の探索候補440を追加でサポートし得る。本明細書で説明される技法に従えば、さらに高いアグリゲーション(たとえば、32個のCCE405)が達成可能であり得る。上で説明されたように、いくつかの場合、各CCEは、たとえば9個のリソース要素グループ(REG)を含み得る。いくつかのシステム(たとえば、LTE)では、これらのREGは論理的に連続していることがあるが、アグリゲーション構成400内で分散してマッピングされることがある。ある例として、9個のREGはトーン0から35にわたらないことがある。むしろ、所与のCCEは、トーン0、1、2、3、32、33、34、35、60、61、62、63などの上にあり得る。すなわち、トーンは連続的ではないことがある。
【００４４】
レガシーシステム(たとえば、1/2/4/8のアグリゲーションレベルのみをサポートするシステム)では、アグリゲーション構成400は、それぞれ、アグリゲーションレベル1/2/4/8に対して6/6/2/2個の復号候補を有し得る。すなわち、UE115は、PDCCHの探索において、6個の探索候補420、6個の探索候補425、2個の探索候補430、および2個の探索候補435に対してブラインド復号を試み得る。いくつかの場合、これらの様々な探索候補のうちの1つまたは複数は重複することがある(たとえば、CCE405を共有することがある)。本開示の態様では、HRLLCが構成される場合、UESSは、最大ブラインド復号の最大の数を同じ(たとえば、または同様の)数に維持しながら、より高いアグリゲーションレベルをサポートするように、適切に区分され得る。たとえば、HRLLCが構成される場合、UESSは、それぞれ、アグリゲーションレベル1/2/4/8/16/32に対して4/4/2/2/2/2個の復号候補を有し得る。これらの数字は例示のみを目的に使用され、UESSの他の可能な構成も考慮されることに留意されたい。いくつかの例では、UE115によって監視されるすべてのDCIフォーマットまたはそのサブセットに対して、より高いアグリゲーションレベルが行われ得る。たとえば、DCIフォーマット1AがHRLLCに対して有効にされないが、DCIフォーマット2Dが有効にされる場合、DCIフォーマット1Aに対して、1/2/4/8のアグリゲーションレベルのためにそれぞれ、6/6/2/2個の復号候補が使用されることがあり、一方、DCIフォーマット2Dに対して、1/2/4/8/16/32のアグリゲーションレベルのためにそれぞれ、4/4/2/2/2/2個の復号候補が使用されることがある。
【００４５】
制御チャネル構成400を考慮することにより理解されるように、より低いアグリゲーションレベルが、所与の数のCCE405から形成され得る探索候補の数を増やし得る(たとえば、このことは、スケジューリングの柔軟性を高め、またはシステム内での通信に別様に利益をもたらすことがある)。したがって、基地局105は、システム通信パラメータ(たとえば、サービスタイプ、トラフィックの量、信号品質など)に基づいて、所与の探索空間においてサポートされるアグリゲーションレベルを動的に(たとえば、または準静的に)構成するように動作可能であり得る。したがって、前の例において説明されたように、一方のサービスタイプ(たとえば、HRLLC)のためのアグリゲーション構成400はより高いアグリゲーションレベルをサポートすることがあるが、別のサービスタイプ(たとえば、非HRLLC)のためのアグリゲーション構成400はより低いアグリゲーションレベルをサポートすることがある。
【００４６】
一部のシステム(たとえば、レガシーシステム)では、ePDCCHリソースセットのための物理リソースブロック(PRB)の最大の数は8である。態様では、アグリゲーション構成400は、ePDCCHリソースセットから構成され得る(たとえば、リソースセットの中のPRBの数がアグリゲーション構成400の特性を決定し得るように)。すなわち、様々なCCE405は、所与のリソースセットにおいて複数のPRBにわたって分散され得る。いくつかの例では、所与のリソースセットの中の8個のPRBは、アグリゲーションレベル32をサポートするには十分ではないことがある(たとえば、一部のリソース要素(RE)が他の信号により取って代わられることがあるため)。加えて、または代わりに、リソースセットの中にこの数のPRBを伴うePDCCHは、クロスキャリアスケジューリングが有効であるとき(たとえば、複数のCCのための制御情報を送信するために単一のCCが使用されるとき)には特に、より高いアグリゲーションレベルのための十分な探索候補を有しないことがある。したがって、本開示の態様は、より高いアグリゲーションレベル(たとえば、上で説明されたような)へと監視を拡張し、より多数のPRBを含むようにePDCCHリソースセット構成を拡張する(たとえば、ePDCCHが16個のPRBを備えるリソースセットをサポートし得るように)ことを考慮する。いくつかの例では、UE115は、複数のePDCCHリソースセット(たとえば、HRLLCのための1つのセット、非HRLLCのための別のセットなど)を用いて構成され得る。この構成は、準静的に(たとえば、RRCシグナリングを通じて)または動的に達成され得る。
【００４７】
図5は、本開示の様々な態様による、物理HARQインジケータチャネル(PHICH)改良をサポートする例示的なリソース割振り500を示す。PHICHは、基地局105からUE115へのHARQインジケータを搬送し得る。基地局105は、PHICHグループ525として集合的に知られている3つのREG520(たとえば、全体で12個のRE525)のセットを使用して、ダウンリンク制御領域において各HARQインジケータを送信し得る。リソース割振り500において、3つのPHICHグループ515-a、515-b、515-cが示されている。PHICHグループ515-a、515-bは第1の時間間隔505内に含まれ、一方、PHICHグループ515-cは第2の時間間隔510に含まれるが、PHICHグループ515は複数の時間間隔にわたり得ることが可能である。PHICHグループ515の数は、セル帯域幅ならびに1つまたは複数の構成可能なパラメータに依存し得る。各PHICHグループ515は、PCFICHにまだ割り当てられていないREG520にマッピングされ得る。いくつかの例では、所与のREG520内のRE525は連続的ではないことがある。たとえば、4つのPHICH RE525-bは、1つまたは複数の占有されるRE525-a(たとえば、PCFICHに割り当てられ得る)によって分離され得る。いくつかの例では、これらのPHICHグループ515は単一のUE115に専用ではないことがあり、代わりに、各PHICHグループ515は複数の(たとえば、最大で8個の)UE115によって(たとえば、各UE115に異なる直交シーケンスインデックスを割り当てることによって)共有され得る。
【００４８】
様々な通信システムは、複数のPHICH構成をサポートし得る。上で説明されたように、各PHICHグループは12個のRE525を含むことがあり、これらは、所与のUE115と各々関連付けられる複数のPHICHと多重化されることがある(たとえば、符号分割多重化(CDM)方式で)。したがって、n+3タイミングがHRLLCのために使用され(たとえば、n+4タイミングの代わりに)、PHICHがUL非同期HARQをサポートする場合、PHICHの改良は適用可能ではないことがある。しかしながら、UL同期HARQがサポートされ、PHICHがHRLLCに対するUL非適応再送信のために使用される場合、PHICH動作に対する改良が望まれることがある。非適応再送信では、UE115は、第1の送信のために使用される同じパラメータ(たとえば、帯域幅、コーディングレートなど)とともにデータを再送信し得る。ある例として、2つ以上のPHICH RE525-bは、HRLLCで構成されるUE115のための単一のPHICH送信に対してバンドル化され得る。いくつかの場合、バンドル化されたPHICH RE525-bは、2つ以上のシーケンスが同じPHICHグループ515内で使用される代わりに、異なるPHICHグループ515(たとえば、異なる周波数および/または時間リソース)に由来し得る。いくつかの例では、バンドル化(bundling)の規則は明示的または暗黙的に定められ得る。すなわち、PHICHがPHICHグループm(たとえば、PHICHグループ515-a)において直交シーケンスnを使用することが決定される場合、PHICHグループm+1(たとえば、PHICHグループ515-b)においてシーケンスn+1を追加で使用するために、バンドル化が行われ得る。
【００４９】
図6は、本開示の様々な態様による、UL制御改良をサポートする例示的な送信方式600を示す。送信方式600はUE115-cおよび基地局105-cを含み、これらの各々が、図1および図2を参照して説明された対応するデバイスの例であり得る。いくつかの場合、(たとえば、HRLLCのための)信頼性の向上は、改良されたHARQ性能を伴い得る。いくつかの例示的なシステムでは、UE115-cは、物理アップリンク制御チャネル(PUCCH)リソースを使用して基地局105から受信されるダウンリンク送信のHARQ肯定応答を送信し得る。以下で説明されるように、PUCCHは追加で、他のアップリンク制御情報(たとえば、CSIフィードバック)を搬送し得る。図3を参照して説明されたように、HARQ肯定応答は、n+3タイミングおよび/またはn+4タイミングを使用して送信され得る。いくつかの例では、UE115-cのためのアップリンクカバレッジ(たとえば、地理的カバレッジエリア110-c内でアップリンク通信605が依然として受信され得る、基地局からの距離)が、リソースのバンドル化(たとえば、時間、周波数、空間など)を通じて改善され得る。しかしながら、いくつかの場合、カバレッジの改善(たとえば、時間領域のバンドル化による)は、望まれる低レイテンシを犠牲にすることがある。
【００５０】
したがって、本明細書で説明される技法は、空間領域における肯定応答/否定応答(ACK/NACK)のバンドル化を(たとえば、恒久的に)可能にすることを考慮する。例として、UE115-cは複数のCCを用いて構成されることがあり、各CCを介して、MIMO方式で1つまたは2つのTBが送信され得る。空間多重化がないと、各CCに対して、ACK/NAKビットが必要とされ得る。しかし、本明細書で開示されるように、ULにおいて2ビットを送信する代わりに、ビットはバンドル化されることがあり、複数のCCのためのHARQフィードバックとして1ビットが送信されることがある。これは、空間バンドル化と呼ばれることがあり、または空間多重化と呼ばれることがあり、制御情報610の復号の成功の信頼性を高めることがある。
【００５１】
加えて、バンドル化は、時間領域および/または周波数領域で実行され得る。時間領域のバンドル化は、異なるサブフレームを介して送信されるTBと関連付けられるACK/NAKビットを束ねることを含み得る。周波数領域のバンドル化は、異なるCCを介してDL上で送信されるTBと関連付けられるACK/NAKビットを束ねることを含み得る。たとえば、DL CC605-aは、サブフレーム610-aおよび610-bの間に送信されるTBを含み得る。バンドル化されたACK/NAKビットを含み得る、サブフレーム610-aおよび610-bの間に送信されるTBに対するHARQフィードバックは、TTI615の間に送信されるUCIにおいてUL CC605-b上で送信され得る。これは、時間領域のバンドル化または時間のバンドル化と呼ばれ得る。加えて、または代わりに、DL CC605-aはサブフレーム610-aの間に送信されるTBを含むことがあり、DL CC605-cはサブフレーム610-cの間に送信されるTBを含むことがある。バンドル化されたACK/NAKビットを含み得る、サブフレーム610-aおよび610-cの間に送信されるTBに対するHARQフィードバックは、TTI615の間に送信されるUCIにおいてUL CC605-b上で送信され得る。これは、周波数領域のバンドル化または周波数のバンドル化と呼ばれ得る。いくつかの場合、これらのバンドル化技法は様々な組合せで使用され得る。態様では、アップリンク制御情報610は、複数のTTIおよび/または符号語のためのACK/NACK情報(たとえば、ブロックACK/NACKと呼ばれ得る)を搬送し得る。いくつかの場合、ACK/NACKビットは、複数のTTIを介して繰り返し送信され得る。
【００５２】
いくつかの場合(たとえば、CSIがアップリンク制御情報610において存在するとき)、UE115-cは、HRLLCサービスのためのACK/NACKを優先してCSIを省略するように構成され得る。たとえば、UCI要素625-bがCSIを搬送するために割り振られる場合、UE115-cは、HRLLCサービスのためのACK/NACKを搬送するために、UCI要素625-bのリソースの一部またはすべてを割り当てるように構成され得る。例では、CSIは、完全に省略されることがあり、またはそのペイロードが別様に制限されることがある(たとえば、ランクインジケータ(RI)、プリコーディング行列インジケータ(PMI)、およびチャネル品質インジケータ(CQI)を伴わないプリコーディングタイプインジケータ(PTI)のみ)。いくつかの場合、スケジューリング要求(SR)送信はまた、UL HRLLCサービスが構成されるときの改善された性能(たとえば、より高い信頼性および/またはより低いレイテンシ)と関連付けられ得る。たとえば、SR送信はHARQ-ACKと組み合わされ得る。
【００５３】
加えて、または代わりに、本開示の態様は、CSIフィードバックの少なくとも2つのセットをサポートするために、UE115-cの構成を考慮する。この例では、それぞれのアップリンクキャリア605-a、605-b上のアップリンク制御情報610-a、610-bは、それぞれのCSIフィードバックを搬送し得る。たとえば、CSIフィードバックの1つのセット(たとえば、アップリンク制御情報610-aのための)が、通常のサービスのために使用され得る(たとえば、初期送信の後で10%のブロックエラーレート(BLER)を仮定する)。CSIフィードバックの別のセット(たとえば、アップリンク制御情報610-bのための)が、HRLLCサービスのために使用され得る(たとえば、初期送信の後で1%のBLERを仮定する)。この第2のセット内で、さらなる考慮事項には、2つ以上の干渉の仮定を導入することがあり得る。1つのそのような仮定は、セル間HRLLC干渉がないこと、または最小限であることに対応することがあり、一方、別の仮定は、他の(たとえば、典型的な)セル間HRLLC干渉に対応することがある。そのような複数の仮定の方式は、CSIフィードバックのための干渉測定リソース(IMR)の2つのセットによって実現されることがあり、IMRの各セットは異なるセル間HRLLC干渉特性を有することがある。いくつかの場合(たとえば、アップリンク制御情報610-a、610-bの2つのセットが所与のサブフレームにおいて競合する場合)、UE115-cは、両方のセットを、または1つのセットのみを送信するように構成され得る(たとえば、アップリンク制御情報610-bのHRLLC CSIフィードバックが高干渉の状況において優先され得るように)。
【００５４】
図7は、本開示の様々な態様による、PUSCH改良をサポートするリソース割振り700の例を示す。いくつかのシステムでは、UCIがPUSCHリソース705上で抱き合わせにされるとき、CQI/PMI、RI/PTI、およびACK/NACKのためのリソースの量を別々に決定するために、より高次のレイヤで構成されたオフセット715が使用され得る。UCIのためのリソースの量はさらに、PUSCHパラメータ(たとえば、変調およびコーディング方式(MCS)、帯域幅など)に依存し得る。本開示の態様では、HRLLCのためのUCI(たとえば、ACK/NACK、CSIなど)がPUSCHリソース705上で抱き合わせにされるとき、UCIのためのリソースの量を決定するためのパラメータの別個のセットが導入され得る。たとえば、UCIがHRLLCのためのものではない場合、オフセットの第1のセット715-aが使用されることがあり、UCIがHRLLCサービスのためのものである場合、オフセットの第2のセット715-b(たとえば、より広い帯域幅と関連付けられ得る)が使用されることがある。
【００５５】
加えて、または代わりに、2つ以上のオフセット715-a、715-b、715-cは、PUSCHリソース705上の所与のUCI送信のためにどのオフセット715が使用されるべきかをUE115が(たとえば、動的に)決定できるように構成され得る。そのような動的な方式は、基地局105に対する追加の柔軟性を可能にし得る。いくつかの場合、この決定は、HRLLC PDSCH送信(すなわち、PDSCH送信に対応するACK/NACK)と比較されたHRLLCの決定、DCIグラントの中のインジケータなどに基づいて行われ得る。すなわち、PUSCHリソース705上でのHRLLC PDSCH ACK/NACKの抱き合わせのために、より多くのACK/NACKリソース(たとえば、オフセット715-b)が第1のRRC構成に基づいて割り振られることがあり、一方、PUSCHリソース705上での非HRLLC PDSCH ACK/NACKの抱き合わせのために、第2のRRCで構成されるオフセット(たとえば、オフセット715-a)が使用されることがある。
【００５６】
図8は、本開示の様々な態様による、UL電力制御改良をサポートするワイヤレス通信システム800を示す。ワイヤレス通信システム800は、各々が図1、図2、および図6を参照して説明されたような対応するデバイスの例であり得る、基地局105-dおよびUE115-dを含む。いくつかの場合、LTE規格、MBB通信、ブロードキャスト通信などの以前のリリースに従った通信を含み得る非HRLLC通信805と比較して、異なる開ループ電力制御パラメータがHRLLC通信810のために使用され得る。たとえば、HRLLC固有の電力制御パラメータ(たとえば、部分的な/完全な経路損失の補償のためのアルファ、P_0_PUSCHまたはP_0_PUCCHなど)が、HRLLC通信810および非HRLLC通信805のために別々に示され得る。
【００５７】
加えて、または代わりに、UE固有の電力制御パラメータ(たとえば、P_0_PUSCHまたはP_0_PUCCH、delta_TF、delta_F_PUCCHなど)が、HRLLC通信810および非HRLLC通信805のために別々に構成され得る。いくつかの例では、どのセットを使用するかの決定は、HRLLC通信810および非HRLLC通信805の態様(たとえば、送信されるべきデータの量)に基づき得る。たとえば、異なる制御パラメータは、HRLLC通信810および非HRLLC通信805のための送信電力の独立した制御を可能にし得る(その結果、たとえば、UE115-dが、非HRLLC通信805の送信電力の変更を必ずしも伴わずに、HRLLC通信810-bの送信電力を上げる前に最初により低い電力でHRLLC通信810-aを送信できる)。いくつかの場合、UE115-dのための総送信電力は限られていることがある(たとえば、干渉、電池の制約などにより)ので、HRLLC通信810-aからHRLLC通信810-bへの送信電力の増大は、非HRLLC通信805のための送信電力の相補的な低下によって少なくとも部分的にオフセットされ得る。
【００５８】
閉ループ/内側ループ電力制御のための類似の改良も考慮される。しかしながら、いくつかの場合、HRLLC通信810および非HRLLC通信805のために(たとえば、それらの両方が同じ閉ループ電力制御を使用できるように)別々の閉/内側ループ電力制御を導入する強い必要性はないことがある。同様に、バックホール関連の改良を有する強い必要性はないことがある(たとえば、現在のバックホールフレームワークが、本明細書で説明される改良をサポートするのに十分であり得るので)。
【００５９】
図9は、本開示の様々な態様による、ワイヤレス通信システムのための高信頼性で低レイテンシの構成をサポートするプロセスフロー900を示す。プロセスフロー900はUE115-eおよび基地局105-eを含み、これらの各々が、図1を参照して説明された対応するデバイスの例であり得る。
【００６０】
905において、基地局105-eはUE115-eとの接続を確立し得る。905において確立される接続は、図1を参照して説明されるような通信リンク125の例であり得る。いくつかの場合、その中でUE115-eおよび基地局105-eが905において接続を確立するワイヤレス通信システムは、第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートし得る。いくつかの例では、第1のワイヤレスサービスはHRLLCのためのものであり得る。いくつかの例では、第2のワイヤレスサービスは、第2の目標復号エラーレートと第2の目標レイテンシ値の両方を有し得る。いくつかの例では、第2のワイヤレスサービスは、第2の目標復号エラーレートと、第1の目標レイテンシ値より低い第3の目標レイテンシ値とを有し得る。いくつかの例では、第2のワイヤレスサービスは、第1の目標復号エラーレートより低い第3の目標復号エラーレートと、第2の目標レイテンシ値とを有し得る。
【００６１】
910において、基地局105-eは、第1のワイヤレスサービスのためにUE115-eへ割り当てるための時間周波数リソースを特定することができ、第1のワイヤレスサービスおよび第2のワイヤレスサービスは、同じ時間長のTTIを有する。いくつかの場合、TTIは1msである。様々な例において、910において特定されるリソースは、サポートされるトラフィック負荷、UE115-eの処理能力、送信されるべき所与のタイプのトラフィックの量などの、ワイヤレス通信システムの様相に依存し得る。いくつかの例では、910において特定されるリソースは、第1の目標復号エラーレートを依存し得る。
【００６２】
915において、基地局105-eは任意選択で、第1のワイヤレスサービスのためにUE115-eを構成するために、RRCシグナリングをUE115-eに送信し得る。
【００６３】
920において、基地局105-eは、TTIのうちの1つの間に、第1のワイヤレスサービスのために910において特定されるリソースをUE115-eに割り当てる制御メッセージを送信し得る。いくつかの場合、920における制御メッセージは、(たとえば、915においてRRCシグナリングを使用して)第1のワイヤレスサービスのためにUE115-eを構成したことに少なくとも一部基づいて送信される。いくつかの場合、制御メッセージは、無線ネットワーク一時識別子(RNTI)、DCIフォーマット、DCI指示、制御候補のセット、準静的な構成、または、割り当てられたリソースが第1のワイヤレスサービスと関連付けられることを示すこれらの任意の組合せのうちの少なくとも1つを備える。
【００６４】
925において、基地局105-eは任意選択で、ワイヤレスサービスのための候補の第1のセットを使用して、第1のワイヤレスサービスと関連付けられるDCIを送信し得る。いくつかの例では、ワイヤレスサービスのための候補の第1のセットは、920における制御シグナリングにおいて特定され得る。いくつかの場合、候補の第1のセットのためのアグリゲーションレベルの数字は、第2のワイヤレスサービスのための候補の第2のセットと関連付けられるアグリゲーションレベルの数字とは異なり得る。
【００６５】
930において、基地局105-eは任意選択で、電力制御パラメータをUE115-aに送信し得る。いくつかの例では、基地局105-eは、第1のワイヤレスサービスと関連付けられる電力制御パラメータ(たとえば、HRLCC電力制御パラメータ)または第2のワイヤレスサービスと関連付けられる電力制御パラメータ(たとえば、非HRLCC電力制御パラメータ)を送信し得る。
【００６６】
935において、基地局105-eは任意選択で、第1のワイヤレスサービスと関連付けられるPUSCHメッセージとUCIを抱き合わせにするために使用されるべきUE115-aに、オフセットの第1のセットの指示を送信し、かつ/または、第2のワイヤレスサービスと関連付けられるPUSCHメッセージとUCIを抱き合わせにするために使用されるべきオフセットの第2のセットの指示を送信し得る。いくつかの場合、オフセットのセットの指示は、DCI(たとえば、925における)またはRRCシグナリング(たとえば、915における)のいずれかを介して送信される。
【００６７】
940において、基地局105-eは任意選択で、第1のワイヤレスサービスのための割り当てられたリソース(たとえば、910において特定されたリソース)上で第1のワイヤレスサービスのデータメッセージを、UE115-eから受信し得る。
【００６８】
945において、基地局105-eは任意選択で、データメッセージに応答して、UE115-eからの空間的な、時間領域の、または周波数領域のバンドル化を使用したHARQフィードバックを備える、アップリンクフィードバックメッセージを送信し得る。この例では、アップリンクフィードバックは、フィードバックがアップリンク方向に送信されることを示すのではなく、アップリンク送信に対するフィードバックを指す。いくつかの場合、フィードバックリソースの2つ以上のセットのうちの1つのための時間周波数リソースのセットは、フィードバックリソースの2つ以上のセットのうちの別のもののための時間周波数リソースのセットと異なる。
【００６９】
950において、基地局105-eは任意選択で、1つまたは複数のACKメッセージまたは1つまたは複数のNACKメッセージの束を備えるダウンリンクフィードバックメッセージをUE115-eから受信し得る。いくつかの場合、ダウンリンクフィードバック(たとえば、ダウンリンク送信に応答してUEから基地局105-eに送信されるHARQフィードバック)は、ACK/NAKビットおよびスケジューリング要求を備える。いくつかの場合、ダウンリンクフィードバックメッセージはCSIフィードバックを含まない。いくつかの場合、ダウンリンクフィードバックメッセージはCQIのないCSIフィードバックを含む。いくつかの場合、第1のワイヤレスサービスと関連付けられるCSIフィードバックに含まれるCQI情報の量は、第2のワイヤレスサービスと関連付けられるCSIフィードバックに含まれるCQI情報の量と異なる。
【００７０】
955において、基地局105-eは任意選択で、PUSCHメッセージと同時に第1のワイヤレスサービスのためのUCIをUE115-eから受信し得る。たとえば、第1のワイヤレスサービスのためのUCIは、PUSCHメッセージと抱き合わせにされ得る。いくつかの場合、UCIは、935において受信されたオフセットの第1のセットに従って、PUSCHメッセージと抱き合わせにされ得る。いくつかの例では、第1のワイヤレスサービスのためのUCIは、第2のワイヤレスサービスのためのUCIとは異なるパラメータのセットを備える。
【００７１】
図10は、本開示の態様による、ワイヤレス通信システムのための高信頼性で低レイテンシの構成をサポートするプロセスフロー1000を示す。プロセスフロー1000はUE115-fおよび基地局105-fを含み、これらの各々が、図1を参照して説明された対応するデバイスの例であり得る。
【００７２】
1005において、基地局105-fはUE115-fとの接続を確立し得る。1005において確立される接続は、図1を参照して説明されるような通信リンク125の例であり得る。いくつかの場合、その中でUE115-fおよび基地局105-fが1005において接続を確立するワイヤレス通信システムは、第1の目標復号エラーレートおよび第1の目標レイテンシ値を有する第1のワイヤレスサービスと、第1の目標復号エラーレートより高い第2の目標復号エラーレートまたは第1の目標レイテンシ値より高い第2の目標レイテンシを有する第2のワイヤレスサービスとをサポートし得る。いくつかの例では、第1のワイヤレスサービスはHRLLCのためのものであり得る。いくつかの例では、第2のワイヤレスサービスは、第2の目標復号エラーレートと第2の目標レイテンシ値とを有し得る。いくつかの例では、第2のワイヤレスサービスは、第2の目標復号エラーレートと、第1の目標レイテンシ値より低い第3の目標レイテンシ値とを有し得る。いくつかの例では、第2のワイヤレスサービスは、第1の目標復号エラーレートより低い第3の目標復号エラーレートと、第2の目標レイテンシ値とを有し得る。
【００７３】
1010において、UE115-fは任意選択で、第1のワイヤレスサービスのためのリソース割当てを監視するようにUE115-fを構成する、RRCシグナリングを基地局105-fから受信し得る。いくつかの場合、UE115-fは、第2のワイヤレスサービスのためにリソース割当てを監視するようにUE115-fを構成するRRCシグナリングを受信し得る(たとえば、1010において、または何らかの他のときに)。いくつかの例では、第2のワイヤレスサービスは、第1のワイヤレスサービスと関連付けられるレイテンシより少ないレイテンシと関連付けられ得る(たとえば、その結果、第1のワイヤレスサービスがより高い信頼性および大きいレイテンシと関連付けられ得る)。加えて、または代わりに、UE115-fの構成は、UE115-fのためのTAおよび/またはトランスポートブロックサイズ(TBS)の制約に少なくとも一部基づき得る。
【００７４】
1015において、UE115-fは、第1のTTIの間に、基地局105-fから制御メッセージを受信し得る。例では、第1のワイヤレスサービスおよび第2のワイヤレスサービスは同じTTI時間長を有し得る。いくつかの場合、UE115-fは、1010においてRRCシグナリングを受信したことに少なくとも一部基づいて制御メッセージを受信し得る。いくつかの場合、第1のTTIはLTEサブフレームを備える。いくつかの場合、制御メッセージは、RNTI、DCIフォーマット、DCI指示、制御候補のセット、準静的な構成、または、割り当てられたリソースが第1のワイヤレスサービスと関連付けられることを示すこれらの任意の組合せのうちの少なくとも1つを備える。
【００７５】
1020において、UE115-fは任意選択で、1015において受信される制御メッセージに少なくとも一部基づいて、UESS内の復号候補の第1のセットを決定し得る。
【００７６】
1025において、UE115-fは、1020において決定される復号候補の第1のセットを使用して、DCIを基地局105-fから受信し得る。
【００７７】
1030において、UE115-fは任意選択で、UE固有の電力制御パラメータの第1のセットを受信することができ、UE固有の電力制御パラメータの第2のセットを受信することができ、電力制御パラメータの第1のセットは第1のワイヤレスサービスと関連付けられ、電力制御パラメータの第2のセットは第2のワイヤレスサービスと関連付けられる。
【００７８】
1035において、UE115-fは任意選択で、PUSCHメッセージとUCIを抱き合わせにするために使用されるべきオフセットの第1のセットの第1の指示を受信することができ、PUSCHメッセージは第1のワイヤレスサービスと関連付けられる。いくつかの場合、1030において、UE115-fは、第1のPUSCHメッセージとUCIを抱き合わせにするために使用されるべき第1のオフセットの第1の指示を任意選択で受信することができ、第2のPUSCHメッセージとUCIを抱き合わせにするために使用されるべき第2のオフセットの第2の指示を任意選択で受信することができ、第1のPUSCHメッセージは第1のワイヤレスサービスと関連付けられ、第2のPUSCHメッセージが第2のワイヤレスサービスと関連付けられる。いくつかの場合、第1の指示は、DCI(たとえば、1025における)またはRRCシグナリング(たとえば、1010における)のいずれかを介して受信される。
【００７９】
1040において、UE115-fは、1015において受信される制御メッセージに少なくとも一部基づいて、第1のワイヤレスサービスのために割り当てられるリソースを決定し得る。いくつかの場合、リソースは、1025において受信されるDCIに少なくとも一部基づいて決定され得る。
【００８０】
1045において、UE115-fは、第1のワイヤレスサービスのために割り当てられるリソースを使用して、第1のTTIの間にデータを受信し、または第2のTTIの間にデータを送信し得る。いくつかの場合、UE115-fは、PUSCHメッセージと抱き合わせにされるUCIを送信し得る。いくつかの場合、UCIは、1035において受信されたオフセットの第1のセットに従って、PUSCHメッセージと抱き合わせにされる。いくつかの場合、第1のワイヤレスサービスのためのUCIは、第2のワイヤレスサービスのためのUCIとは異なるパラメータのセットを備える。
【００８１】
1050において、UE115-fは任意選択で、少なくとも制御メッセージに応答して、かつ第1のTTIの間に第1のワイヤレスサービスのためのデータの受信に成功したことに少なくとも一部基づいて、フィードバックメッセージを送信し得る。いくつかの場合、フィードバックメッセージは、本明細書で説明されるような、空間的なバンドル化、時間領域のバンドル化、または周波数領域のバンドル化を使用して送信されるHARQフィードバックを備える。第1のワイヤレスサービスのためのバンドル化は、第2のワイヤレスサービスのためのバンドル化とは異なり得る。いくつかの例では、フィードバックメッセージを送信することは、第1のTTIに続く所定の期間内にACKまたはNACKのうちの少なくとも1つを送信することを備える。いくつかの場合、所定の期間は少なくとも3つのTTIを備える。いくつかの場合、フィードバックメッセージはCSIフィードバックを含まない。いくつかの場合、フィードバックメッセージはCQIのないCSIフィードバックを含む。
【００８２】
1055において、UE115-fは任意選択で、第1のワイヤレスサービスと関連付けられるCSIフィードバックの第1のセットを送信し、第2のワイヤレスサービスと関連付けられるフィードバックの第2のセットを送信し得る。いくつかの場合、CSIフィードバックの第1のセットおよびCSIフィードバックの第2のセットは、CSIフィードバックの第1のセットおよびCSIフィードバックの第2のセットの各々に含まれるCQI情報の量が異なる。
【００８３】
1060において、UE115-fは任意選択で、PUSCHメッセージとUCIを抱き合わせにするために第1のオフセットを使用するか第2のオフセットを使用するかを決定し得る。いくつかの場合、この決定は、1015において受信される制御メッセージに少なくとも一部基づき得る。
【００８４】
1065において、UE115-fは任意選択でUCIを送信し得る。いくつかの場合、UCIは、オフセットの第1のセットに従って、PUSCHメッセージと抱き合わせにされ得る。いくつかの場合、第1のオフセットを使用するという1060における決定に従って、UCIは、第1のオフセットに従ってPUSCHメッセージと抱き合わせにされ得る。
【００８５】
図11は、本開示の態様による、ワイヤレス通信システムのための高信頼性で低レイテンシの構成をサポートするワイヤレスデバイス1105のブロック図1100を示す。ワイヤレスデバイス1105は、図1を参照して説明されたような基地局105の態様の例であり得る。ワイヤレスデバイス1105は、受信機1110、基地局サービスマネージャ1115、および送信機1120を含み得る。ワイヤレスデバイス1105はプロセッサも含み得る。これらの構成要素の各々は、(たとえば、1つまたは複数のバスを介して)互いに通信していてよい。
【００８６】
受信機1110は、パケット、ユーザデータ、または様々な情報チャネル(たとえば、制御チャネル、データチャネル、およびワイヤレス通信システムための高信頼性で低レイテンシの構成に関する情報など)と関連付けられた制御情報などの情報を受信し得る。情報はデバイスの他の構成要素に渡され得る。受信機1110は、図14を参照して説明されるトランシーバ1435の態様の例であり得る。受信機1110は、単一のアンテナまたはアンテナのセットを使用し得る。
【００８７】
基地局サービスマネージャ1115は、図14を参照して説明される基地局サービスマネージャ1415の態様の例であり得る。基地局サービスマネージャ1115は、第1のワイヤレスサービスのためにユーザ機器UEへ割り当てるためのリソースを特定することができ、第1のワイヤレスサービスおよび第2のワイヤレスサービスは、同じ時間長のTTIを有する。基地局サービスマネージャ1115またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局サービスマネージャ1115またはその様々な副構成要素の少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示において説明された機能を実行するように設計されたそれらの任意の組合せによって実行され得る。
【００８８】
基地局サービスマネージャ1115および/またはその様々な副構成要素の少なくともいくつかは、機能の一部が1つまたは複数の物理デバイスによって異なる物理的位置に実装されるように分散されることを含めて、様々な場所に物理的に位置し得る。いくつかの例では、基地局サービスマネージャ1115またはその様々な副構成要素のうちの少なくともいくつかは、本開示の様々な態様による別個のおよび異なる構成要素であり得る。他の例では、基地局サービスマネージャ1115またはその様々な副構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の様々な態様によるそれらの組合せを含む、1つまたは複数の他のハードウェア構成要素と合成され得る。
【００８９】
送信機1120は、デバイスの他の構成要素によって生成された信号を送信し得る。送信機1120は、TTIのうちの1つの間に、第1のワイヤレスサービスのためのリソースをUEに割り当てる制御メッセージを送信し得る。いくつかの例では、送信機1120は、トランシーバモジュールの中で受信機1110と一緒に置かれてもよい。たとえば、送信機1120は、図14を参照して説明されるトランシーバ1435の態様の例であり得る。送信機1120は、単一のアンテナまたはアンテナのセットを使用し得る。
【００９０】
図12は、本開示の態様による、ワイヤレス通信システムのための高信頼性で低レイテンシの構成をサポートするワイヤレスデバイス1205のブロック図1200を示す。ワイヤレスデバイス1205は、図1および図11を参照して説明されたようなワイヤレスデバイス1105または基地局105の態様の例であり得る。ワイヤレスデバイス1205は、受信機1210、基地局サービスマネージャ1215、および送信機1220を含み得る。ワイヤレスデバイス1205はプロセッサも含み得る。これらの構成要素の各々は、(たとえば、1つまたは複数のバスを介して)互いに通信していてよい。
【００９１】
受信機1210は、パケット、ユーザデータ、または様々な情報チャネル(たとえば、制御チャネル、データチャネル、およびワイヤレス通信システムための高信頼性で低レイテンシの構成に関する情報など)と関連付けられた制御情報などの情報を受信し得る。情報はデバイスの他の構成要素に渡され得る。受信機1210は、図14を参照して説明されるトランシーバ1435の態様の例であり得る。受信機1210は、単一のアンテナまたはアンテナのセットを使用し得る。
【００９２】
基地局サービスマネージャ1215は、図14を参照して説明される基地局サービスマネージャ1415の態様の例であり得る。基地局サービスマネージャ1215はまた、リソース構成要素1225およびメッセージ送信機1230を含み得る。
【００９３】
リソース構成要素1225は、第1のワイヤレスサービスのためにUEへ割り当てるためのリソースを特定することができ、第1のワイヤレスサービスおよび第2のワイヤレスサービスは、同じ時間長のTTIを有する。いくつかの場合、第2のワイヤレスサービスは、第1の目標レイテンシ値より高い第2の目標レイテンシ値を有する。いくつかの場合、第2のワイヤレスサービスは、第1の目標レイテンシ値より低い第3の目標レイテンシ値を有する。
【００９４】
メッセージ送信機1230は、送信機1220と組み合わせて、TTIのうちの1つの間に、第1のワイヤレスサービスのためのリソースをUEに割り当てる制御メッセージを生成して送信し得る。メッセージ送信機1230は、たとえばシーケンス生成器であり得る。いくつかの場合、制御メッセージは、RNTI、DCIフォーマット、DCI指示、制御候補のセット、準静的な構成、または、割り当てられたリソースが第1のワイヤレスサービスと関連付けられることを示すこれらの任意の組合せのうちの少なくとも1つを含む。
【００９５】
送信機1220は、デバイスの他の構成要素によって生成された信号を送信し得る。いくつかの例では、送信機1220は、トランシーバモジュールの中で受信機1210と一緒に置かれてもよい。たとえば、送信機1220は、図14を参照して説明されるトランシーバ1435の態様の例であり得る。送信機1220は、単一のアンテナまたはアンテナのセットを使用し得る。
【００９６】
図13は、本開示の態様による、ワイヤレス通信システムのための高信頼性で低レイテンシの構成をサポートする基地局サービスマネージャ1315のブロック図1300を示す。基地局サービスマネージャ1315は、図11、図12、および図14を参照して説明される、基地局サービスマネージャ1115、基地局サービスマネージャ1215、または基地局サービスマネージャ1415の態様の例であり得る。基地局サービスマネージャ1315は、リソース構成要素1320、メッセージ送信機1325、RRC構成要素1330、ダウンリンク制御送信機1335、データ構成要素1340、フィードバック構成要素1345、およびアップリンク制御構成要素1350を含み得る。これらのモジュールの各々は、(たとえば、1つまたは複数のバスを介して)互いと直接または間接的に通信し得る。
【００９７】
リソース構成要素1320は、第1のワイヤレスサービスのためにUEへ割り当てるためのリソースを特定することができ、第1のワイヤレスサービスおよび第2のワイヤレスサービスは、同じ時間長のTTIを有する。いくつかの場合、第1のワイヤレスサービスは第1の目標レイテンシ値を有し、第2のワイヤレスサービスは、第1の目標レイテンシ値より高い第2の目標レイテンシ値を有する。いくつかの場合、第1のワイヤレスサービスは第1の目標レイテンシ値を有し、第2のワイヤレスサービスは、第1の目標レイテンシ値より低い第3の目標レイテンシ値を有する。リソース構成要素1320は任意選択で、第2のワイヤレスサービスのためにUEへ割り当てるための第2のリソースを特定し得る。いくつかの場合、リソース構成要素1320は、第1の目標復号エラーレートまたは第1のワイヤレスサービスの第1の目標レイテンシ値に少なくとも一部基づいてリソースを選択することによって、リソースを特定する。いくつかの場合、リソース構成要素1320は、第2の目標復号エラーレートまたは第2のワイヤレスサービスの第2の目標レイテンシ値に少なくとも一部基づいて第2のリソースを選択することによって、第2のリソースを特定する。
【００９８】
メッセージ送信機1325は、送信機またはトランシーバと組み合わせて、TTIのうちの1つの間に、第1のワイヤレスサービスのためのリソースをUEに割り当てる制御メッセージを生成して送信し得る。いくつかの場合、制御メッセージは、第1のRNTI、第1のDCIフォーマット、第1のDCI指示、制御候補の第1のセット、第1の準静的な構成、または、割り当てられたリソースが第1のワイヤレスサービスと関連付けられることを示すこれらの任意の組合せのうちの少なくとも1つを含む。メッセージ送信機1325は任意選択で、送信機またはトランシーバと組み合わせて、TTIのうちの1つの間に、第2のワイヤレスサービスのためのリソースをUEに割り当てる第2の制御メッセージを生成して送信し得る。いくつかの場合、第2の制御メッセージは、第2のRNTI、第2のDCIフォーマット、第2のDCI指示、制御候補の第2のセット、第2の準静的な構成、または、割り当てられたリソースが第2のワイヤレスサービスと関連付けられることを示すこれらの任意の組合せのうちの少なくとも1つを含む。
【００９９】
RRC構成要素1330は、送信機またはトランシーバと組み合わせて、第1のワイヤレスサービスのためにUEを構成するRRCシグナリングを生成してUEに送信することができ、制御メッセージは、第1のワイヤレスサービスのためにUEを構成することに基づいて送信される。
【０１００】
ダウンリンク制御送信機1335は、送信機またはトランシーバと組み合わせて、第1のワイヤレスサービスのための復号候補の第1のセットを使用して、第1のワイヤレスサービスと関連付けられるダウンリンク制御情報を生成して送信し得る。いくつかの場合、復号候補の第1のセットのためのアグリゲーションレベルの数字は、第2のワイヤレスサービスのための復号候補の第2のセットと関連付けられるアグリゲーションレベルの数字とは異なる。いくつかの場合、ダウンリンク制御送信機1335は、第1のワイヤレスサービスと関連付けられるPUSCHメッセージとアップリンク制御情報を抱き合わせにするために使用されるべきオフセットの第1のセットの第1の指示をUEに送信し、第2のワイヤレスサービスと関連付けられる第2のPUSCHメッセージとアップリンク制御情報を抱き合わせにするために使用されるべきオフセットの第2のセットの第2の指示をUEに送信し得る。いくつかの場合、ダウンリンク制御送信機1335は、第1のワイヤレスサービスと関連付けられる電力制御パラメータの第1のセットと、第2のワイヤレスサービスと関連付けられる電力制御パラメータの第2のセットとをUEに送信し得る。
【０１０１】
データ構成要素1340は、受信機またはトランシーバと組み合わせて、第1のワイヤレスサービスのための割り当てられたリソース上の第1のワイヤレスサービスのデータメッセージをUEから受信し得る。
【０１０２】
本明細書で説明されるように、フィードバック構成要素1345は、送信機またはトランシーバと組み合わせて、データメッセージに応答してACK/NACKのバンドル化(たとえば、空間的なバンドル化、時間領域のバンドル化、または周波数領域のバンドル化)を含むフィードバックメッセージを生成してUEに送信し、空間的なバンドル化、時間領域のバンドル化、または周波数領域のバンドル化を使用して送信される制御メッセージに応答してフィードバックメッセージをUEから受信し得る。第1のワイヤレスサービスのためのバンドル化は、第2のワイヤレスサービスのためのバンドル化とは異なり得る。いくつかの場合、UEからのフィードバックメッセージはスケジューリング要求を含む。いくつかの場合、UEからのフィードバックメッセージは、チャネル状態情報(CSI)フィードバックを含まない。いくつかの場合、UEからのフィードバックメッセージは、チャネル品質インジケータ(CQI)のないCSIフィードバックを含む。いくつかの場合、フィードバック構成要素1345は、UEから、第1のワイヤレスサービスと関連付けられるチャネル状態情報(CSI)フィードバックの第1のセットと、第2のワイヤレスサービスと関連付けられるCSIフィードバックの第2のセットとを受信し得る。いくつかの場合、CSIフィードバックの第1のセットおよびCSIフィードバックの第2のセットは、CSIフィードバックの第1のセットおよび第2のセットに含まれるチャネル品質インジケータ(CQI)情報の量が異なる。いくつかの場合、CSIフィードバックの第1のセットは、干渉の仮定の第1のセットと関連付けられ、CSIフィードバックの第2のセットは、干渉の仮定の第2のセットと関連付けられる。
【０１０３】
アップリンク制御構成要素1350は、受信機またはトランシーバと組み合わせて、PUSCHメッセージと同時に、またはPUSCHメッセージと抱き合わせで、第1のワイヤレスサービスのためのアップリンク制御情報をUEから受信し得る。いくつかの場合、第1のワイヤレスサービスのためのアップリンク制御情報は、第2のワイヤレスサービスのためのアップリンク制御情報とは異なるパラメータのセットを含む。
【０１０４】
図14は、本開示の態様による、ワイヤレス通信システムのための高信頼性で低レイテンシの構成をサポートするデバイス1405を含むシステム1400の図を示す。デバイス1405は、たとえば、図1、図11、および図12を参照して上で説明されたような、ワイヤレスデバイス1105、ワイヤレスデバイス1205、または基地局105の構成要素の例であることがあり、またはそれを含むことがある。デバイス1405は、基地局サービスマネージャ1415、プロセッサ1420、メモリ1425、ソフトウェア1430、トランシーバ1435、アンテナ1440、ネットワーク通信マネージャ1445、および基地局通信マネージャ1450を含めて、通信を送信し受信するための構成要素を含む、双方向音声およびデータ通信用の構成要素を含み得る。これらの構成要素は、1つまたは複数のバス(たとえば、バス1410)を介して電子的に通信し得る。デバイス1405は、1つまたは複数のUE115とワイヤレスに通信し得る。
【０１０５】
プロセッサ1420は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでもよい。いくつかの場合、プロセッサ1420は、メモリコントローラを使用してメモリアレイを動作させるように構成され得る。他の場合、メモリコントローラは、プロセッサ1420に統合されてもよい。プロセッサ1420は、様々な機能(たとえば、ワイヤレス通信システムのための高信頼性で低レイテンシの構成をサポートする機能またはタスク)を実行するためにメモリに記憶されたコンピュータ可読命令を実行するように構成され得る。
【０１０６】
メモリ1425は、ランダムアクセスメモリ(RAM)と読取り専用メモリ(ROM)とを含み得る。メモリ1425は、実行されるとプロセッサに本明細書で説明される様々な機能を実行させる命令を含む、コンピュータ可読のコンピュータ実行可能ソフトウェア1430を記憶することができる。いくつかの場合、メモリ1425は、とりわけ、周辺構成要素またはデバイスとの相互作用などの、基本的なハードウェアおよび/またはソフトウェア動作を制御し得る基本入出力システム(BIOS)を含み得る。
【０１０７】
ソフトウェア1430は、ワイヤレス通信システムのための高信頼性で低レイテンシの構成をサポートするためのコードを含む、本開示の態様を実装するためのコードを含み得る。ソフトウェア1430は、システムメモリまたは他のメモリなどの非一時的コンピュータ可読媒体中に記憶され得る。いくつかの場合、ソフトウェア1430は、プロセッサによって直接実行可能でないことがあるが、(たとえば、コンパイルされ、実行されると)本明細書で説明される機能をコンピュータに実行させ得る。
【０１０８】
トランシーバ1435は、上で説明されたように、1つまたは複数のアンテナ、有線リンク、またはワイヤレスリンクを介して双方向に通信し得る。たとえば、トランシーバ1435はワイヤレストランシーバを表すことがあり、別のワイヤレストランシーバと双方向に通信することがある。トランシーバ1435はまた、パケットを変調し、変調されたパケットを送信するためにアンテナに与え、アンテナから受信されたパケットを復調するためのモデムを含み得る。
【０１０９】
いくつかの場合、ワイヤレスデバイスは単一のアンテナ1440を含み得る。しかしながら、いくつかの場合、デバイスは、複数のワイヤレス送信を同時に送信または受信することが可能であり得る2つ以上のアンテナ1440を有し得る。
【０１１０】
ネットワーク通信マネージャ1445は、(たとえば、1つまたは複数の有線バックホールリンクを介した)コアネットワークとの通信を管理し得る。たとえば、ネットワーク通信マネージャ1445は、1つまたは複数のUE115などのクライアントデバイスのためのデータ通信の転送を管理し得る。
【０１１１】
基地局通信マネージャ1450は、他の基地局105との通信を管理することがあり、他の基地局105と協働してUE115との通信を制御するためのコントローラまたはスケジューラを含むことがある。たとえば、基地局通信マネージャ1450は、ビームフォーミングまたはジョイント送信などの様々な干渉緩和技法のために、UE115への送信のスケジューリングを協調させ得る。いくつかの例では、基地局通信マネージャ1450は、基地局105間で通信を行うために、LTE/LTE-Aワイヤレス通信ネットワーク技術内のX2インターフェースを提供し得る。
【０１１２】
図15は、本開示の態様による、ワイヤレス通信システムのための高信頼性で低レイテンシの構成をサポートするワイヤレスデバイス1505のブロック図1500を示す。ワイヤレスデバイス1505は、図1を参照して説明されたようなUE115の態様の例であり得る。ワイヤレスデバイス1505は、受信機1510と、UEサービスマネージャ1515と、送信機1520とを含み得る。ワイヤレスデバイス1505はプロセッサも含み得る。これらの構成要素の各々は、(たとえば、1つまたは複数のバスを介して)互いに通信していてよい。
【０１１３】
受信機1510は、パケット、ユーザデータ、または様々な情報チャネル(たとえば、制御チャネル、データチャネル、およびワイヤレス通信システムための高信頼性で低レイテンシの構成に関する情報など)と関連付けられた制御情報などの情報を受信し得る。受信機1510は、UEにおいて第1のTTIの間に、基地局から制御メッセージを受信することができ、第1のワイヤレスサービスおよび第2のワイヤレスサービスは、同じ時間長のTTIを有する。受信機1510はまた、第1のTTIの間にデータを受信し得る。情報はデバイスの他の構成要素に渡され得る。受信機1510は、図18を参照して説明されるトランシーバ1835の態様の例であり得る。受信機1510は、単一のアンテナまたはアンテナのセットを使用し得る。
【０１１４】
UEサービスマネージャ1515は、図18を参照して説明されるUEサービスマネージャ1815の態様の例であり得る。UEサービスマネージャ1515は、制御メッセージに基づいて第1のワイヤレスサービスのために割り当てられるリソースを決定し得る。UEサービスマネージャ1515またはその様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UEサービスマネージャ1515またはその様々な副構成要素の少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示において説明された機能を実行するように設計されたそれらの任意の組合せによって実行され得る。
【０１１５】
UEサービスマネージャ1515またはその様々な副構成要素の少なくともいくつかは、機能の一部が1つまたは複数の物理デバイスによって異なる物理的位置に実装されるように分散されることを含めて、様々な位置に物理的に配置され得る。いくつかの例では、UEサービスマネージャ1515またはその様々な副構成要素のうちの少なくともいくつかは、本開示の様々な態様による別個のおよび異なる構成要素であり得る。他の例では、UEサービスマネージャ1515またはその様々な副構成要素のうちの少なくともいくつかは、限定はされないが、I/O構成要素、トランシーバ、ネットワークサーバ、別のコンピューティングデバイス、本開示で説明された1つまたは複数の他の構成要素、または本開示の様々な態様によるそれらの組合せを含む、1つまたは複数の他のハードウェア構成要素と合成され得る。
【０１１６】
送信機1520は、デバイスの他の構成要素によって生成された信号を送信し得る。送信機1520は、第1のワイヤレスサービスのために割り当てられるリソースを使用して、第2のTTIの間にデータを送信し得る。いくつかの例では、送信機1520は、トランシーバモジュールの中で受信機1510と一緒に置かれてもよい。たとえば、送信機1520は、図18を参照して説明されるトランシーバ1835の態様の例であり得る。送信機1520は、単一のアンテナまたはアンテナのセットを利用し得る。
【０１１７】
図16は、本開示の態様による、ワイヤレス通信システムのための高信頼性で低レイテンシの構成をサポートするワイヤレスデバイス1605のブロック図1600を示す。ワイヤレスデバイス1605は、図1および図15を参照して説明されたような、ワイヤレスデバイス1505またはUE115の態様の例であり得る。ワイヤレスデバイス1605は、受信機1610と、UEサービスマネージャ1615と、送信機1620とを含み得る。ワイヤレスデバイス1605はプロセッサも含み得る。これらの構成要素の各々は、(たとえば、1つまたは複数のバスを介して)互いに通信していてよい。
【０１１８】
受信機1610は、パケット、ユーザデータ、または様々な情報チャネル(たとえば、制御チャネル、データチャネル、およびワイヤレス通信システムための高信頼性で低レイテンシの構成に関する情報など)と関連付けられた制御情報などの情報を受信し得る。情報はデバイスの他の構成要素に渡され得る。受信機1610は、図18を参照して説明されるトランシーバ1835の態様の例であり得る。受信機1610は、単一のアンテナまたはアンテナのセットを利用し得る。
【０１１９】
UEサービスマネージャ1615は、図18を参照して説明されるUEサービスマネージャ1815の態様の例であり得る。UEサービスマネージャ1615はまた、制御メッセージ構成要素1625、リソース構成要素1630、およびデータ構成要素1635を含み得る。
【０１２０】
制御メッセージ構成要素1625は、受信機1610と組み合わせて、UEにおいて第1のTTIの間に、基地局から制御メッセージを受信することができ、第1のワイヤレスサービスおよび第2のワイヤレスサービスは、同じ時間長のTTIを有する。いくつかの場合、制御メッセージは、RNTI、DCIフォーマット、DCI指示、制御候補のセット、準静的な構成、または、割り当てられたリソースが第1のワイヤレスサービスと関連付けられることを示すこれらの任意の組合せのうちの少なくとも1つを含む。制御メッセージ構成要素1625は任意選択で、UEにおいて第3のTTIの間に、基地局から第2の制御メッセージを受信し得る。いくつかの場合、第2の制御メッセージは、第2のRNTI、第2のDCIフォーマット、第2のDCI指示、制御候補の第2のセット、第2の準静的な構成、または、割り当てられたリソースが第2のワイヤレスサービスと関連付けられることを示すこれらの任意の組合せのうちの少なくとも1つを含む。
【０１２１】
リソース構成要素1630は、制御メッセージに基づいて第1のワイヤレスサービスのために割り当てられるリソースを決定し得る。いくつかの場合、第1のワイヤレスサービスは第1の目標レイテンシ値を有し、第2のワイヤレスサービスは、第1の目標レイテンシ値より高い第2の目標レイテンシ値を有する。
【０１２２】
データ構成要素1635は、第1のワイヤレスサービスまたは第2のワイヤレスサービスに割り当てられたリソースを使用して、それぞれ、受信機1610と組み合わせて、第1のTTIもしくは第3のTTIの間にデータを受信し、または、送信機1620と組み合わせて、第2のTTIもしくは第4のTTIの間にデータを送信し得る。いくつかの場合、第1のTTIはLTEサブフレームを含む。
【０１２３】
送信機1620は、デバイスの他の構成要素によって生成された信号を送信し得る。いくつかの例では、送信機1620は、トランシーバモジュールの中で受信機1610と一緒に置かれてもよい。たとえば、送信機1620は、図18を参照して説明されるトランシーバ1835の態様の例であり得る。送信機1620は、単一のアンテナまたはアンテナのセットを利用し得る。
【０１２４】
図17は、本開示の態様による、ワイヤレス通信システムのための高信頼性で低レイテンシの構成をサポートするUEサービスマネージャ1715のブロック図1700を示す。UEサービスマネージャ1715は、図15、図16、および図18を参照して説明されるUEサービスマネージャ1815の態様の例であり得る。UEサービスマネージャ1715は、制御メッセージ構成要素1720、リソース構成要素1725、データ構成要素1730、RRCシグナリング構成要素1735、フィードバック構成要素1740、候補構成要素1745、ダウンリンク制御送信機1750、およびアップリンク送信機1755を含み得る。これらのモジュールの各々は、(たとえば、1つまたは複数のバスを介して)互いと直接または間接的に通信し得る。
【０１２５】
制御メッセージ構成要素1720は、受信機またはトランシーバと組み合わせて、UEにおいて第1のTTIの間に、基地局から制御メッセージを受信することができ、第1のワイヤレスサービスおよび第2のワイヤレスサービスは、同じ時間長のTTIを有する。いくつかの場合、制御メッセージは、RNTI、DCIフォーマット、DCI指示、制御候補のセット、準静的な構成、または、割り当てられたリソースが第1のワイヤレスサービスと関連付けられることを示すこれらの任意の組合せのうちの少なくとも1つを含む。制御メッセージ構成要素1720は任意選択で、受信機またはトランシーバと組み合わせて、UEにおいて第3のTTIの間に、第2の制御メッセージを基地局から受信することができ、第2の制御メッセージは、第2のRNTI、第2のDCIフォーマット、第2のDCI指示、制御候補の第2のセット、第2の準静的な構成、または、割り当てられたリソースが第2のワイヤレスサービスと関連付けられることを示すこれらの任意の組合せのうちの少なくとも1つを含む。制御メッセージ構成要素1720は任意選択で、第1のワイヤレスサービスと関連付けられるUE固有の電力制御パラメータの第1のセットと、第2のワイヤレスサービスと関連付けられるUE固有の電力制御パラメータの第2のセットとを受信し得る。
【０１２６】
リソース構成要素1725は、制御メッセージに基づいて第1のワイヤレスサービスのために割り当てられるリソースを決定し得る。いくつかの場合、第1のワイヤレスサービスは第1の目標レイテンシ値を有し、第2のワイヤレスサービスは、第1の目標レイテンシ値より高い第2の目標レイテンシ値を有する。いくつかの場合、第1のワイヤレスサービスは第1の目標レイテンシ値を有し、第2のワイヤレスサービスは、第1の目標レイテンシ値より低い第3の目標レイテンシ値を有する。
【０１２７】
データ構成要素1730は、受信機またはトランシーバと組み合わせて、第1のワイヤレスサービスまたは第2のワイヤレスサービスに割り当てられたリソースを使用して、それぞれ、第1のTTIもしくは第3のTTIの間にデータを受信し、または、第2のTTIもしくは第4のTTIの間にデータを送信し得る。いくつかの場合、第1のTTIはLTEサブフレームを含む。
【０１２８】
RRCシグナリング構成要素1735は、受信機またはトランシーバと組み合わせて、第1のワイヤレスサービスのためのリソース割当てを監視するようにUEを構成するRRCシグナリングを受信することができ、制御メッセージはRRCシグナリングを受信したことに基づいて受信される。RRCシグナリング構成要素1735は任意選択で、第2のワイヤレスサービスのためのリソース割当てを監視するようにUEを構成するRRCシグナリングを受信し得る。いくつかの場合、第2のワイヤレスサービスは、第1のワイヤレスサービスの第1の目標レイテンシ値より高い第2の目標レイテンシ値を有する。いくつかの場合、第2のワイヤレスサービスは、第1のワイヤレスサービスの第1の目標レイテンシ値より低い第3の目標レイテンシ値を有する。いくつかの場合、UEの構成は、UEに対するタイミングアドバンスまたはTBSの制限に基づく。RRCシグナリング構成要素1735は任意選択で、RRCシグナリングを介して、第1のワイヤレスサービスと関連付けられるPUSCHメッセージとUCIを抱き合わせにするために使用されるべきオフセットの第1のセットの第1の指示を受信し得る。
【０１２９】
フィードバック構成要素1740は、送信機またはトランシーバと組み合わせて、第1のTTIの間に第1のワイヤレスサービスのためのデータの受信の成功に基づいて、制御メッセージに応答したフィードバックメッセージを送信し得る。いくつかの場合、フィードバックメッセージは、本明細書で説明されるような、空間的なバンドル化、時間領域のバンドル化、または周波数領域のバンドル化を使用して送信されるHARQフィードバックを備える。第1のワイヤレスサービスのためのバンドル化は、第2のワイヤレスサービスのためのバンドル化とは異なり得る。いくつかの場合、フィードバックメッセージはCSIフィードバックを含まない。いくつかの場合、フィードバックメッセージはCQIのないCSIフィードバックを含む。フィードバック構成要素1740は任意選択で、第1のワイヤレスサービスと関連付けられるCSIフィードバックの第1のセットと、第2のワイヤレスサービスと関連付けられるCSIフィードバックの第2のセットとを送信し得る。いくつかの場合、CSIフィードバックの第1のセットおよびCSIフィードバックの第2のセットは、第1のセットおよび第2のセットに含まれるCQI情報の量が異なる。
【０１３０】
いくつかの場合、フィードバックメッセージを送信することは、第1のTTIに続く所定の期間内にACKメッセージまたはNACKのうちの少なくとも1つを送信することを含む。いくつかの場合、所定の期間は少なくとも3つのTTIを含む。
【０１３１】
候補構成要素1745は、制御メッセージに基づいて、UE固有の探索空間内の復号候補の第1のセットを決定し得る。
【０１３２】
ダウンリンク制御構成要素1750は、受信機またはトランシーバと組み合わせて、復号候補の第1のセットを使用してDCIを基地局から受信することができ、第1のワイヤレスサービスのために割り当てられるリソースを決定することはDCIに基づく。ダウンリンク制御構成要素1750は任意選択で、DCIを介して、第1のワイヤレスサービスと関連付けられるPUSCHメッセージとUCIを抱き合わせにするために使用されるべきオフセットの第1のセットの第1の指示を受信し得る。
【０１３３】
アップリンク送信機1755は、送信機またはトランシーバと組み合わせて、PUSCHメッセージと抱き合わせにされるアップリンク制御情報(UCI)を送信し得る。いくつかの場合、第1のワイヤレスサービスのためのアップリンク制御情報は、第2のワイヤレスサービスのためのアップリンク制御情報とは異なるパラメータのセットを含む。いくつかの場合、UCIは、オフセットの第1のセットに従って、PUSCHメッセージと抱き合わせにされる。
【０１３４】
図18は、本開示の態様による、ワイヤレス通信システムのための高信頼性で低レイテンシの構成をサポートするデバイス1805を含むシステム1800の図を示す。デバイス1805は、たとえば、図1を参照して上で説明されたようなUE115の構成要素の例であり得るか、またはそれを含み得る。デバイス1805は、UEサービスマネージャ1815と、プロセッサ1820と、メモリ1825と、ソフトウェア1830と、トランシーバ1835と、アンテナ1840と、I/Oコントローラ1845とを含む、通信を送信し受信するための構成要素を含む双方向音声およびデータ通信のための構成要素を含み得る。これらの構成要素は、1つまたは複数のバス(たとえば、バス1810)を介して電子的に通信し得る。デバイス1805は、1つまたは複数の基地局105とワイヤレスに通信し得る。
【０１３５】
プロセッサ1820は、インテリジェントハードウェアデバイス(たとえば、汎用プロセッサ、DSP、CPU、マイクロコントローラ、ASIC、FPGA、プログラマブル論理デバイス、個別ゲートまたはトランジスタ論理構成要素、個別ハードウェア構成要素、あるいはそれらの任意の組合せ)を含み得る。いくつかの場合、プロセッサ1820は、メモリコントローラを使用してメモリアレイを動作させるように構成され得る。他の場合、メモリコントローラは、プロセッサ1820に統合されてもよい。プロセッサ1820は、様々な機能(たとえば、ワイヤレス通信システムのための高信頼性で低レイテンシの構成をサポートする機能またはタスク)を実行するためにメモリに記憶されたコンピュータ可読命令を実行するように構成され得る。
【０１３６】
メモリ1825は、RAMとROMとを含み得る。メモリ1825は、実行されると、プロセッサに、本明細書で説明される様々な機能を実行させる命令を含む、コンピュータ可読のコンピュータ実行可能ソフトウェア1830を記憶し得る。いくつかの場合、メモリ1825は、とりわけ、周辺構成要素またはデバイスとの相互作用などの、基本的なハードウェアおよび/またはソフトウェア動作を制御し得るBIOSを含み得る。
【０１３７】
ソフトウェア1830は、ワイヤレス通信システムのための高信頼性で低レイテンシの構成をサポートするためのコードを含む、本開示の態様を実装するためのコードを含み得る。ソフトウェア1830は、システムメモリまたは他のメモリなどの非一時的コンピュータ可読媒体に記憶され得る。いくつかの場合、ソフトウェア1830は、プロセッサによって直接実行可能でないことがあるが、(たとえば、コンパイルされ、実行されると)本明細書で説明される機能をコンピュータに実行させ得る。
【０１３８】
トランシーバ1835は、上で説明されたように、1つもしくは複数のアンテナ、有線リンク、またはワイヤレスリンクを介して双方向に通信し得る。たとえば、トランシーバ1835はワイヤレストランシーバを表すことがあり、別のワイヤレストランシーバと双方向に通信することがある。トランシーバ1835はまた、パケットを変調し、変調されたパケットを送信するためにアンテナに供給し、かつアンテナから受信されたパケットを復調するためのモデムを含み得る。
【０１３９】
いくつかの場合には、ワイヤレスデバイスは単一のアンテナ1840を含み得る。しかしながら、いくつかの場合、デバイスは、複数のワイヤレス送信を同時に送信または受信することが可能であり得る2つ以上のアンテナ1840を有し得る。
【０１４０】
I/Oコントローラ1845は、デバイス1805のための入力信号および出力信号を管理し得る。I/Oコントローラ1845はまた、デバイス1805へと統合されない周辺機器を管理し得る。いくつかの場合、I/Oコントローラ1845は、外部周辺機器への物理的接続またはポートを表し得る。いくつかの場合、I/Oコントローラ1845は、iOS(登録商標)、ANDROID(登録商標)、MS-DOS(登録商標)、MS-WINDOWS(登録商標)、OS/2(登録商標)、UNIX(登録商標)、LINUX(登録商標)、または別の知られているオペレーティングシステムなどのオペレーティングシステムを利用し得る。他の場合には、I/Oコントローラ1845は、モデム、キーボード、マウス、タッチスクリーン、または同様のデバイスを表し、またはそれと対話し得る。いくつかの場合、I/Oコントローラ1845は、プロセッサの一部として実装され得る。いくつかの場合、ユーザは、I/Oコントローラ1845を介してデバイス1805と対話することができ、またはI/Oコントローラ1845によって制御されたハードウェア構成要素を介してデバイス1805と対話することができる。
【０１４１】
図19は、本開示の態様による、ワイヤレス通信システムのための高信頼性で低レイテンシの構成のための方法1900を示すフローチャートを示す。方法1900の動作は、本明細書で説明されるように、基地局105またはその構成要素によって実施され得る。たとえば、方法1900の動作は、図11〜図14を参照して説明されたように、基地局サービスマネージャによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して以下で説明される機能の態様を実行し得る。
【０１４２】
ブロック1905において、基地局105は、第1のワイヤレスサービスのためにUEへ割り当てるためのリソースを特定することができ、第1のワイヤレスサービスおよび第2のワイヤレスサービスは、同じ時間長のTTIを有する。ブロック1905の動作は、図1〜図10を参照して説明された方法に従って実行され得る。いくつかの例では、ブロック1905の動作の態様は、図11〜図14を参照して説明されたようなリソース構成要素によって実行され得る。
【０１４３】
ブロック1910において、基地局105は、TTIのうちの1つの間に、第1のワイヤレスサービスのためのリソースをUEに割り当てる制御メッセージを送信し得る。ブロック1910の動作は、図1〜図10を参照して説明された方法に従って実行され得る。いくつかの例では、ブロック1910の動作の態様は、図11〜図14を参照して説明されたように、メッセージ送信機によって実行され得る。
【０１４４】
図20は、本開示の態様による、ワイヤレス通信システムのための高信頼性で低レイテンシの構成のための方法2000を示すフローチャートを示す。方法2000の動作は、本明細書で説明されるように、基地局105またはその構成要素によって実施され得る。たとえば、方法2000の動作は、図11〜図14を参照して説明されたように、基地局サービスマネージャによって実行され得る。いくつかの例では、基地局105は、以下で説明される機能を実行するようにデバイスの機能要素を制御するためのコードのセットを実行し得る。加えて、または代わりに、基地局105は、専用ハードウェアを使用して以下で説明される機能の態様を実行し得る。
【０１４５】
ブロック2005において、基地局105は、第1のワイヤレスサービスのためにUEへ割り当てるためのリソースを特定することができ、第1のワイヤレスサービスおよび第2のワイヤレスサービスは、同じ時間長のTTIを有する。ブロック2005の動作は、図1〜図10を参照して説明された方法に従って実行され得る。いくつかの例では、ブロック2005の動作の態様は、図11〜図14を参照して説明されたようなリソース構成要素によって実行され得る。
【０１４６】
ブロック2010において、基地局105は、第1のワイヤレスサービスのためにUEを構成するRRCシグナリングをUEに送信することができ、制御メッセージは、第1のワイヤレスサービスのためにUEを構成したことに少なくとも一部基づいて送信される。ブロック2010の動作は、図1〜図10を参照して説明された方法に従って実行され得る。いくつかの例では、ブロック2010の動作の態様は、図11〜図14を参照して説明されたように、RRC構成要素によって実行され得る。
【０１４７】
ブロック2015において、基地局105は、TTIのうちの1つの間に、第1のワイヤレスサービスのためのリソースをUEに割り当てる制御メッセージを送信し得る。ブロック2015の動作は、図1〜図10を参照して説明された方法に従って実行され得る。いくつかの例では、ブロック2015の動作の態様は、図11〜図14を参照して説明されたように、メッセージ送信機によって実行され得る。
【０１４８】
ブロック2020において、基地局105は、第1のワイヤレスサービスのための候補の第1のセットを使用して、第1のワイヤレスサービスと関連付けられるダウンリンク制御情報を送信し得る。ブロック2020の動作は、図1〜図10を参照して説明された方法に従って実行され得る。いくつかの例では、ブロック2020の動作の態様は、図11〜図14を参照して説明されたように、ダウンリンク制御送信機によって実行され得る。
【０１４９】
ブロック2025において、基地局105は、第1のワイヤレスサービスのための割り当てられたリソース上の第1のワイヤレスサービスのデータメッセージをUEから受信し得る。ブロック2025の動作は、図1〜図10を参照して説明された方法に従って実行され得る。いくつかの例では、ブロック2025の動作の態様は、図11〜図14を参照して説明されたように、データ構成要素によって実行され得る。
【０１５０】
ブロック2030において、基地局105は、空間的なバンドル化、時間領域のバンドル化、または周波数領域のバンドル化のうちの少なくとも1つを使用して、フィードバックメッセージをUEに送信し得る。ブロック2030の動作は、図1〜図10を参照して説明された方法に従って実行され得る。いくつかの例では、ブロック2030の動作の態様は、図11〜図14を参照して説明されたように、フィードバック構成要素によって実行され得る。
【０１５１】
ブロック2035において、基地局105は、1つまたは複数のACKメッセージまたは1つまたは複数のNACKメッセージの束を備えるフィードバックメッセージをUEから受信し得る。ブロック2035の動作は、図1〜図10を参照して説明された方法に従って実行され得る。いくつかの例では、ブロック2035の動作の態様は、図11〜図14を参照して説明されたように、フィードバック構成要素によって実行され得る。
【０１５２】
ブロック2040において、基地局105は、PUSCHメッセージと抱き合わせで、第1のワイヤレスサービスのためのアップリンク制御情報をUEから受信し得る。ブロック2040の動作は、図1〜図10を参照して説明された方法に従って実行され得る。いくつかの例では、ブロック2040の動作の態様は、図11〜図14を参照して説明されたように、アップリンク制御構成要素によって実行され得る。
【０１５３】
図21は、本開示の態様による、ワイヤレス通信システムのための高信頼性で低レイテンシの構成のための方法2100を示すフローチャートを示す。方法2100の動作は、本明細書で説明されたように、UE115またはその構成要素によって実施され得る。たとえば、方法2100の動作は、図15〜図18を参照して説明されたように、UEサービスマネージャによって実行され得る。いくつかの例では、UE115は、以下で説明される機能を実行するようにデバイスの機能要素を制御するためのコードのセットを実行し得る。加えて、または代わりに、UE115は、以下で説明される機能の態様を、専用ハードウェアを使用して実行し得る。
【０１５４】
ブロック2105において、UE115は、基地局から制御メッセージを受信することができ、第1のワイヤレスサービスおよび第2のワイヤレスサービスは、同じ時間長のTTIを有する。ブロック2105の動作は、図1〜図10を参照して説明された方法に従って実行され得る。いくつかの例では、ブロック2105の動作の態様は、図15〜図18を参照して説明されたような制御メッセージ構成要素によって実行され得る。
【０１５５】
ブロック2110において、UE115は、制御メッセージに少なくとも一部基づいて、第1のワイヤレスサービスのために割り当てられるリソースを決定し得る。ブロック2110の動作は、図1〜図10を参照して説明された方法に従って実行され得る。いくつかの例では、ブロック2110の動作の態様は、図15〜図18を参照して説明されたようなリソース構成要素によって実行され得る。
【０１５６】
ブロック2115において、UE115は、第1のワイヤレスサービスのために割り当てられたリソースを使用して、第1のTTIの間にデータを受信し、または第2のTTIの間にデータを送信し得る。ブロック2115の動作は、図1〜図10を参照して説明された方法に従って実行され得る。いくつかの例では、ブロック2115の動作の態様は、図15〜図18を参照して説明されたように、データ構成要素によって実行され得る。
【０１５７】
図22は、本開示の態様による、ワイヤレス通信システムのための高信頼性で低レイテンシの構成のための方法2200を示すフローチャートを示す。方法2200の動作は、本明細書で説明されたように、UE115またはその構成要素によって実施され得る。たとえば、方法2200の動作は、図15〜図18を参照して説明されたように、UEサービスマネージャによって実行され得る。いくつかの例では、UE115は、以下で説明される機能を実行するようにデバイスの機能要素を制御するためのコードのセットを実行し得る。加えて、または代わりに、UE115は、以下で説明される機能の態様を、専用ハードウェアを使用して実行し得る。
【０１５８】
ブロック2205において、UE115は、第1のワイヤレスサービスのためのリソース割当てを監視するようにUEを構成するRRCシグナリングを受信することができ、制御メッセージはRRCシグナリングを受信したことに少なくとも一部基づいて受信される。ブロック2205の動作は、図1〜図10を参照して説明された方法に従って実行され得る。いくつかの例では、ブロック2205の動作の態様は、図15〜図18を参照して説明されたように、RRCシグナリング構成要素によって実行され得る。
【０１５９】
ブロック2210において、UE115は、UEにおいて第1のTTIの間に、基地局から制御メッセージを受信することができ、第1のワイヤレスサービスおよび第2のワイヤレスサービスは、同じ時間長のTTIを有する。ブロック2210の動作は、図1〜図10を参照して説明された方法に従って実行され得る。いくつかの例では、ブロック2210の動作の態様は、図15〜図18を参照して説明されたような制御メッセージ構成要素によって実行され得る。
【０１６０】
ブロック2215において、UE115は、制御メッセージに少なくとも一部基づいて、UE固有の探索空間内の復号候補の第1のセットを決定し得る。ブロック2215の動作は、図1〜図10を参照して説明された方法に従って実行され得る。いくつかの例では、ブロック2215の動作の態様は、図15〜図18を参照して説明されたように、候補構成要素によって実行され得る。
【０１６１】
ブロック2220において、UE115は、復号候補の第1のセットを使用してDCIを基地局から受信することができ、第1のワイヤレスサービスのために割り当てられるリソースを決定することはDCIに少なくとも一部基づく。ブロック2220の動作は、図1〜図10を参照して説明された方法に従って実行され得る。いくつかの例では、ブロック2220の動作の態様は、図15〜図18を参照して説明されたように、ダウンリンク制御送信機によって実行され得る。
【０１６２】
ブロック2225において、UE115は、制御メッセージに少なくとも一部基づいて、第1のワイヤレスサービスのために割り当てられるリソースを決定し得る。ブロック2225の動作は、図1〜図10を参照して説明された方法に従って実行され得る。いくつかの例では、ブロック2225の動作の態様は、図15〜図18を参照して説明されたようなリソース構成要素によって実行され得る。
【０１６３】
ブロック2230において、UE115は、第1のワイヤレスサービスのために割り当てられたリソースを使用して、第1のTTIの間にデータを受信し、または第2のTTIの間にデータを送信し得る。ブロック2230の動作は、図1〜図10を参照して説明された方法に従って実行され得る。いくつかの例では、ブロック2230の動作の態様は、図15〜図18を参照して説明されたように、データ構成要素によって実行され得る。
【０１６４】
ブロック2235において、UE115は、第1のTTIの間に第1のワイヤレスサービスのためのデータの受信に成功したことに少なくとも一部基づいて、フィードバックメッセージを送信し得る。ブロック2235の動作は、図1〜図10を参照して説明された方法に従って実行され得る。いくつかの例では、ブロック2235の動作の態様は、図15〜図18を参照して説明されたように、フィードバック構成要素によって実行され得る。
【０１６５】
上で説明された方法は、可能な実装形態を説明しており、動作およびステップは、並べ替えられるか、または他の方法で修正されてもよく、他の実装形態が可能であることに留意されたい。さらに、方法のうちの2つ以上からの態様が組み合わされてもよい。
【０１６６】
本明細書で説明される技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、UTRA(Universal Terrestrial Radio Access)などの無線技術を実装し得る。CDMA2000は、IS-2000規格、IS-95規格、およびIS-856規格をカバーする。IS-2000リリースは、一般に、CDMA2000 1X、1Xなどと呼ばれることがある。IS-856(TIA-856)は、通常、CDMA2000 1xEV-DO、High Rate Packet Data (HRPD)などと呼ばれる。UTRAは、WCDMA(登録商標)(Wideband CDMA)およびCDMAの他の変形を含む。TDMAシステムは、GSM(登録商標)(Global System for Mobile Communications)などの無線技術を実装し得る。
【０１６７】
OFDMAシステムは、UMB(Ultra Mobile Broadband)、E-UTRA(Evolved UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、UMTS(Universal Mobile Telecommunications System)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明された技法は、上で言及されたシステムおよび無線技術ならびに他のシステムおよび無線技術に使用され得る。LTEまたはNRシステムの態様が例として説明されることがあり、説明の大部分においてLTEまたはNR用語が使用されることがあるが、本明細書で説明された技法はLTEまたはNR適用例以外に適用可能である。
【０１６８】
本明細書で説明されたネットワークを含むLTE/LTE-Aネットワークでは、eNB(evolved node B)という用語は、一般に、基地局を記述するために使用されることがある。本明細書で説明される1つまたは複数のワイヤレス通信システムは、異なるタイプのeNBが様々な地理的領域にカバレッジを提供する異種LTE/LTE-AまたはNRネットワークを含み得る。たとえば、各eNB、次世代NodeB(gNB)、または基地局は、マクロセル、スモールセル、または他のタイプのセルに通信カバレッジを提供し得る。「セル」という用語は、文脈に応じて、基地局、基地局と関連付けられるキャリアもしくはコンポーネントキャリア、またはキャリアもしくは基地局のカバレッジエリア(たとえば、セクタなど)を表すために使用され得る。
【０１６９】
基地局は、基地トランシーバ局、無線基地局、アクセスポイント、無線トランシーバ、NodeB、eNodeB(eNB)、gNB、Home NodeB、Home eNodeB、または何らかの他の好適な用語を含み得るか、またはそのように当業者によって呼ばれることがある。基地局のための地理的カバレッジエリアは、カバレッジエリアの一部分のみを構成するセクタに分割され得る。本明細書で説明される1つまたは複数のワイヤレス通信システムは、異なるタイプの基地局(たとえば、マクロ基地局またはスモールセル基地局)を含み得る。本明細書で説明されるUEは、マクロeNB、スモールセルeNB、gNB、リレー基地局などを含む、様々なタイプの基地局およびネットワーク機器と通信することが可能であり得る。異なる技術のための重複する地理的カバレッジエリアがあり得る。
【０１７０】
マクロセルは一般に、比較的大きい地理的エリア(たとえば、半径数キロメートル)をカバーし、ネットワークプロバイダのサービスに加入しているUEによる無制限アクセスを可能にし得る。スモールセルは、マクロセルと比較して、同じまたは異なる(たとえば、免許、免許不要などの)周波数帯域内でマクロセルとして動作し得る低電力基地局である。スモールセルは、様々な例による、ピコセル、フェムトセル、およびマイクロセルを含み得る。ピコセルは、たとえば、小さい地理的エリアをカバーすることができ、ネットワークプロバイダのサービスに加入しているUEによる無制限アクセスを可能にすることがある。フェムトセルも、小さい地理的エリア(たとえば、自宅)をカバーすることがあり、フェムトセルとの関連付けを有するUE(たとえば、限定加入者グループ(CSG)の中のUE、自宅の中のユーザのためのUEなど)による制限付きアクセスを可能にし得る。マクロセルのためのeNBは、マクロeNBと呼ばれることがある。スモールセルのためのeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートすることがある。
【０１７１】
本明細書で説明された1つまたは複数のワイヤレス通信システムは、同期動作または非同期動作をサポートし得る。同期動作の場合、基地局は、類似のフレームタイミングを有することがあり、異なる基地局からの送信は、時間的にほぼ整合されることがある。非同期動作の場合、基地局は、異なるフレームタイミングを有することがあり、異なる基地局からの送信は、時間的に整合されないことがある。本明細書で説明される技法は、同期動作または非同期動作のいずれに使用されてもよい。
【０１７２】
本明細書で説明されたダウンリンク送信は順方向リンク送信と呼ばれることがあり、アップリンク送信は逆方向リンク送信と呼ばれることがある。たとえば、図1および図2のワイヤレス通信システム100および200を含む、本明細書で説明される各通信リンクは、1つまたは複数のキャリアを含むことがあり、各キャリアは、複数のサブキャリア(たとえば、異なる周波数の波形信号)から構成される信号であり得る。
【０１７３】
添付の図面に関して本明細書に記載された説明は、例示的な構成を説明しており、実装されることがあるかまたは特許請求の範囲内に入るすべての例を表すとは限らない。本明細書で使用される「例示的」という用語は、「例、事例、または例示として働く」ことを意味し、「好ましい」または「他の例よりも有利な」を意味するものではない。発明を実施するための形態は、説明する技法の理解を可能にするための具体的な詳細を含む。しかしながら、これらの技法は、これらの具体的な詳細を伴うことなく実践されてもよい。いくつかの事例では、説明された例の概念を不明瞭にすることを回避するために、よく知られている構造およびデバイスがブロック図の形態で示される。
【０１７４】
添付の図面では、類似の構成要素または特徴は、同じ参照ラベルを有することがある。さらに、同じタイプの様々な構成要素が、参照ラベルの後に、ダッシュおよび類似の構成要素を区別する第2のラベルを続けることによって区別されることがある。第1の参照ラベルのみが本明細書で使用される場合、説明は、第2の参照ラベルにかかわらず、同じ第1の参照ラベルを有する類似の構成要素のいずれにも適用可能である。
【０１７５】
本明細書で説明される情報および信号は、多種多様な技術および技法のいずれかを使用して表され得る。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１７６】
本明細書の本開示に関して説明される様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行されることがある。汎用プロセッサはマイクロプロセッサであってもよいが、代替として、プロセッサは任意の従来のプロセッサ、コントローラ、マイクロコントローラ、またはステートマシンであってもよい。プロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成としても実装され得る。
【０１７７】
本明細書で説明された機能は、ハードウェア、プロセッサによって実行されるソフトウェア、ファームウェア、またはそれらの任意の組合せとして実装され得る。プロセッサによって実行されるソフトウェアで実装される場合、機能は、1つまたは複数の命令またはコードとして、コンピュータ可読媒体上に記憶され、またはコンピュータ可読媒体を介して送信され得る。他の例および実装形態は、本開示および添付の特許請求の範囲の範囲内に入る。たとえば、ソフトウェアの性質に起因して、上で説明された機能は、プロセッサ、ハードウェア、ファームウェア、ハードワイヤリング、またはこれらのうちのいずれかの組合せによって実行されるソフトウェアを使用して実装され得る。機能を実施する特徴はまた、異なる物理的位置において機能の部分が実装されるように分散されることを含めて、様々な位置に物理的に配置されてもよい。また、特許請求の範囲内を含めて本明細書で使用される場合、項目のリスト(たとえば、「のうちの少なくとも1つ」または「のうちの1つまたは複数」などの句が後置される項目のリスト)において使用される「または」は、たとえば、A、B、またはCのうちの少なくとも1つのリストがAまたはBまたはCまたはABまたはACまたはBCまたはABC(すなわち、AおよびBおよびC)を意味するような包括的リストを示す。また、本明細書で使用される「に基づいて」という句は、条件の閉集合を指すものと解釈されるべきではない。たとえば、「条件Aに基づいて」として説明された例示的なステップは、本開示の範囲から逸脱することなく、条件Aと条件Bの両方に基づいてもよい。言い換えれば、本明細書で使用される「〜に基づく」という句は、「〜に少なくとも部分的に基づく」という句と同様に解釈されるべきである。
【０１７８】
コンピュータ可読媒体は、非一時的コンピュータ記憶媒体と、ある場所から別の場所へのコンピュータプログラムの転送を容易にする任意の媒体を含む通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または、命令もしくはデータ構造の形態の所望のプログラムコード手段を搬送または記憶するために使用され、汎用コンピュータもしくは専用コンピュータまたは汎用プロセッサもしくは専用プロセッサによってアクセスされ得る任意の他の非一時的媒体を備え得る。また、任意の接続が、適正にコンピュータ可読媒体と呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書において使用されるディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ディスク(disk)は通常、データを磁気的に再生し、ディスク(disc)は、レーザーを用いてデータを光学的に再生する。上記のものの組合せも、コンピュータ可読媒体の範囲内に含まれる。
【０１７９】
本明細書の説明は、当業者が本開示を作成または使用することを可能にするために提供される。本開示に対する様々な修正は、当業者に容易に明らかになり、本明細書で定義された一般原理は、本開示の範囲から逸脱することなく他の変形形態に適用され得る。したがって、本開示は、本明細書で説明される例および設計に限定されず、本明細書で開示された原理および新規の特徴と一致する最も広い範囲を与えられるべきである。
【符号の説明】
【０１８０】
105  基地局
110  地理的カバレッジエリア
115  UE
125  通信リンク
130  コアネットワーク
132  バックホールリンク
134  バックホールリンク
210  サブフレーム
215  ダウンリンクキャリア
225  スロット0
230  スロット1
235  sTTI-0
240  sTTI-1
245  sTTI-n
305  DL TTI
310  UL TTI
315  タイミング進み
320  第1のダウンリンクTTI
325  ACK/NACK指示
330  アップリンクTTI
335  再スケジューリングおよび再送信
340  ACK/NACK指示
350  再スケジューリングおよび再送信
355  ダウンリンクTTI
360  ダウンリンクTTI
405  CCE
410  期間
415  期間
420  探索候補
425  探索候補
430  探索候補
435  探索候補
440  探索候補
505  第1の時間間隔
510  第2の時間間隔
515  PHICHグループ
520  REG
525  RE
605  アップリンク通信
610  制御情報
615  TTI
705  PUSCHリソース
710  PUSCH
715  オフセット
805  非HRLLC通信
810  HRLLC通信
905  接続を確立する
915  RRCシグナリング
920  制御シグナリング
925  DCI
930  電力制御パラメータ
935  オフセットの指示
940  アップリンクメッセージ
945  アップリンクフィードバックメッセージ
950  ダウンリンクフィードバックメッセージ
955  UCI
1010  RRCシグナリング
1015  制御シグナリング
1030  電力制御パラメータ
1035  オフセットの指示
1045  データ送信
1050  フィードバックメッセージ
1055  CSIフィードバック
1105  ワイヤレスデバイス
1110  受信機
1115  基地局サービスマネージャ
1120  送信機
1205  ワイヤレスデバイス
1210  受信機
1215  基地局サービスマネージャ
1220  送信機
1225  リソース構成要素
1230  メッセージ送信機
1320  リソース構成要素
1325  メッセージ送信機
1330  RRC構成要素
1335  ダウンリンク制御送信機
1340  データ構成要素
1345  フィードバック構成要素
1350  アップリンク制御構成要素
1405  デバイス
1410  バス
1415  基地局サービスマネージャ
1420  プロセッサ
1430  ソフトウェア
1435  トランシーバ
1440  アンテナ
1445  ネットワーク通信マネージャ
1450  基地局通信マネージャ
1505  ワイヤレスデバイス
1510  受信機
1515  UEサービスマネージャ
1520  送信機
1605  ワイヤレスデバイス
1610  受信機
1615  UEサービスマネージャ
1620  送信機
1625  制御メッセージ構成要素
1630  リソース構成要素
1635  データ構成要素
1715  UEサービスマネージャ
1720  制御メッセージ構成要素
1725  リソース構成要素
1730  データ構成要素
1735  RRCシグナリング構成要素
1740  フィードバック構成要素
1745  アップリンク送信機
1750  候補構成要素
1755  ダウンリンク制御送信機
1805  デバイス
1810  バス
1815  UEサービスマネージャ
1820  プロセッサ
1830  ソフトウェア
1835  トランシーバ
1840  アンテナ
1845  I/Oコントローラ
【図１】
2020510335.tif 000003
【図２】
2020510335.tif 000004
【図３】
2020510335.tif 000005
【図４】
2020510335.tif 000006
【図５】
2020510335.tif 000007
【図６】
2020510335.tif 000008
【図７】
2020510335.tif 000009
【図８】
2020510335.tif 000010
【図９】
2020510335.tif 000011
【図１０】
2020510335.tif 000012
【図１１】
2020510335.tif 000013
【図１２】
2020510335.tif 000014
【図１３】
2020510335.tif 000015
【図１４】
2020510335.tif 000016
【図１５】
2020510335.tif 000017
【図１６】
2020510335.tif 000018
【図１７】
2020510335.tif 000019
【図１８】
2020510335.tif 000020
【図１９】
2020510335.tif 000021
【図２０】
2020510335.tif 000022
【図２１】
2020510335.tif 000023
【図２２】
2020510335.tif 000024
【国際調査報告】
2020510335.tif 000025
2020510335.tif 000026
2020510335.tif 000027